(57)【特許請求の範囲】
【請求項１】
主として遊技を制御する遊技制御装置と、
遊技制御装置からの信号を受信して主として遊技の演出を制御する演出制御装置と、を備え、
遊技制御装置と演出制御装置との間における信号の送受信は遊技制御装置から演出制御装置への一方向に形成された遊技機であって、
遊技制御装置は、
通常状態と特別状態とを含む複数の遊技状態の間で遊技状態を移行させ、通常状態において特定の移行条件が成立したことを契機に遊技状態を特別状態に移行させる遊技状態移行制御手段と、
遊技状態が通常状態である場合に、遊技制御装置で実行可能な演出（以下、「遊技制御装置演出」とする。）であって、複数の遊技制御装置演出のうちから実行する遊技制御装置演出を抽選（以下、「実行抽選」とする。）により決定する遊技制御装置演出決定手段と、
遊技制御装置演出決定手段により決定された遊技制御装置演出を実行する遊技制御装置演出実行手段と、
通常抽選状態と特殊抽選状態とを含む実行抽選の複数の抽選状態の間で抽選状態を移行させる抽選状態移行制御手段と、
所定の契機により実行抽選の抽選状態を特殊抽選状態へ移行させることを決定する特殊抽選状態移行決定手段と、を備え、
遊技状態が特別状態でかつ実行抽選の抽選状態が通常抽選状態である遊技中は、実行抽選及び遊技制御装置演出の実行を禁止する禁止区間とし、
抽選状態移行制御手段は、
遊技状態が通常状態でかつ実行抽選の抽選状態が通常抽選状態であって、特殊抽選状態移行決定手段により実行抽選の抽選状態を特殊抽選状態へ移行させることが決定されている状態で、所定の条件が成立した場合に、抽選状態を特殊抽選状態へ移行させ、
遊技状態が通常状態でかつ実行抽選の抽選状態が通常抽選状態であって、特殊抽選状態移行決定手段により実行抽選の抽選状態を特殊抽選状態へ移行させることが決定されている状態で、所定の条件が成立するまでの間に、遊技状態が特別状態へ移行する特定の移行条件が成立して禁止区間に属することとなる場合には、実行抽選の抽選状態を特殊抽選状態へ移行させることの決定を取り消し又は無効にして、実行抽選の抽選状態を特殊抽選状態へ移行させないように形成されていることを特徴とする遊技機。
【請求項２】
周囲に複数の図柄が付された複数の回転リールと、
すべての回転リールの回転を開始させるためのスタートスイッチと、
各回転リールに対応して設けられかつ回転リールの回転を停止させるためのストップスイッチと、を備え、
遊技制御装置は、
複数の役のいずれかに当選か又はハズレかの役抽選を行う役抽選手段と、
役抽選の結果と、各ストップスイッチが操作された際における対応する回転リールの回転位置とに基づいて、各回転リールの回転を適位置で停止させる停止制御を行う停止制御手段と、を備え、
停止制御手段は、
役抽選の結果が特定の結果である場合に、ストップスイッチの操作態様が特定の操作態様であることに基づいて、特定の図柄の組み合わせが有効入賞ライン上に停止表示されるように停止制御を行い、
遊技状態移行制御手段は、
通常状態において、特定の移行条件として、特定の図柄の組み合わせが有効入賞ライン上に停止表示されたことを契機に、遊技状態を特別状態に移行させるように形成され、
抽選状態移行制御手段は、
遊技状態が通常状態でかつ実行抽選の抽選状態が通常抽選状態であって、特殊抽選状態移行決定手段により実行抽選の抽選状態を特殊抽選状態へ移行させることが決定されている状態で、所定の条件が成立するまでの間に、特定の図柄の組み合わせが有効入賞ライン上に停止表示されて禁止区間に属することとなる場合には、実行抽選の抽選状態を特殊抽選状態へ移行させることの決定を取り消し又は無効にして、実行抽選の抽選状態を特殊抽選状態へ移行させないように形成されていることを特徴とする請求項１記載の遊技機。
【請求項３】
役抽選手段は、
特定の図柄の組み合わせにより構成される特定役を含む複数種類の役に対応付けられた特定の重複当選領域及びハズレに対応付けられたハズレ領域を少なくとも抽選対象として役抽選を行うように形成され、
停止制御手段は、
役抽選により特定の結果として特定の重複当選領域に当選した場合に、特定の操作態様として特定の操作順序でストップスイッチの操作が行われたときには、特定役以外の当選した他の役を構成する図柄の組み合わせが有効入賞ライン上に停止表示されることを回避しつつ特定役を構成する特定の図柄の組み合わせが有効入賞ライン上に停止表示されるように停止制御を行うとともに、特定の操作順序以外の操作順序でストップスイッチの操作が行われたときには、特定役を構成する特定の図柄の組み合わせが有効入賞ライン上に停止表示されることを回避しつつ特定役以外の当選した他の役を構成する図柄の組み合わせが有効入賞ライン上に停止表示されことがあるように停止制御を行うように形成されていることを特徴とする請求項２記載の遊技機。
【請求項４】
演出制御装置は、
特別演出状態を含む複数の演出状態の間で演出状態を切り替える演出状態切替制御手段と、
演出状態が特別演出状態である場合に、役抽選の結果に関する情報を遊技者に報知する報知演出を実行する演出実行手段と、を備え、
演出実行手段は、
演出状態が特別演出状態でかつ遊技状態が通常状態である場合に、役抽選により特定の重複当選領域に当選したときに、報知演出として、ストップスイッチの特定の操作順序を遊技者に報知する操作順序報知演出を実行し、
演出制御装置は、
遊技状態が通常状態でかつ演出実行手段により操作順序報知演出が実行されていない場合に、特定の操作順序でストップスイッチの操作が行われたときに、所定の不利益を遊技者に付与する不利益付与手段を備え、
演出状態切替制御手段は、
遊技状態が特別状態である場合に、演出状態を特別演出状態に設定することがあり、
遊技状態が特別状態で演出状態が特別演出状態である遊技を実行可能に形成されていることを特徴とする請求項３記載の遊技機。
【発明の詳細な説明】
【技術分野】
【０００１】
本発明は、遊技機に関し、更に詳しくは、遊技の進行を遅延させるフリーズ演出などを実行可能な遊技機に関する。
【背景技術】
【０００２】
従来、この種の遊技機、たとえばスロットマシンでは、遊技を制御する遊技制御装置と、演出を制御する演出制御装置とを備え、遊技制御装置と演出制御装置との間における信号の送受信は遊技制御装置から演出制御装置への一方向に形成される。そして、遊技制御装置では、遊技が開始されると、役の抽選（役抽選）が行われ、また、演出制御装置では、役抽選の結果に基づいて演出が行われる。
また、最近のスロットマシンでは、演出の一つとして、遊技の進行を遅延させるフリーズ演出などを実行することがある。このような演出は遊技制御装置で制御されるものである。
【０００３】
また、従来から、実行中の演出がフリーズ演出の開始によって途中で打ち切られることを防止するために、フリーズ演出を実行するか否かを決定するフリーズ抽選を行う際に、この後に少なくとも１回の遊技を実行するまでフリーズ抽選を禁止する禁止期間を設定するスロットマシンも知られている（特許文献１参照）。
【先行技術文献】
【特許文献】
【０００４】
【特許文献１】特開２０１１−１９８５６号公報
【発明の概要】
【発明が解決しようとする課題】
【０００５】
上述した特許文献１に示す従来のスロットマシンでは、一度設定した固定の遊技回数の禁止期間の間は、フリーズ演出などの遊技制御装置で実行可能な演出（以下、「遊技制御装置演出」とする。）が設計者の意図しないタイミングで実行されることを防止することができるが、固定の遊技回数ではなく変動する遊技回数の間にわたって、遊技制御装置演出が設計者の意図しないタイミングで実行されることを防止するには、十分ではなかった。たとえば、変動する遊技回数にわたって実行されるＡＲＴ（アシストリプレイタイム）遊技の間にわたって、遊技制御装置演出が設計者の意図しないタイミングで実行されることを防止するには、十分ではなかった。
【０００６】
そこで、本発明は、フリーズ演出などの遊技制御装置演出が設計者の意図しないタイミングで実行されることを十分に防止することができる遊技機を提供することを目的とする。
【課題を解決するための手段】
【０００７】
各請求項に記載された発明は、上記した各目的を達成するためになされたものであり、本発明の特徴点を図面に示した発明の実施の形態を用いて、以下に説明する。
なお、符号は、発明の実施の形態において用いた符号を示し、本発明の技術的範囲を限定するものではない。
（請求項１）
請求項１記載の発明は、主として遊技を制御する遊技制御装置21と、遊技制御装置21からの信号を受信して主として遊技の演出を制御する演出制御装置22と、を備え、遊技制御装置21と演出制御装置22との間における信号の送受信は遊技制御装置21から演出制御装置22への一方向に形成された遊技機であって、遊技制御装置21は、通常状態と特別状態とを含む複数の遊技状態の間で遊技状態を移行させ、通常状態において特定の移行条件が成立したことを契機に遊技状態を特別状態に移行させる遊技状態移行制御手段135と、遊技状態が通常状態である場合に、遊技制御装置21で実行可能な演出（以下、「遊技制御装置演出」とする。）であって、複数の遊技制御装置演出のうちから実行する遊技制御装置演出を抽選（以下、「実行抽選」とする。）により決定する遊技制御装置演出決定手段160と、遊技制御装置演出決定手段160により決定された遊技制御装置演出を実行する遊技制御装置演出実行手段170と、通常抽選状態と特殊抽選状態とを含む実行抽選の複数の抽選状態の間で抽選状態を移行させる抽選状態移行制御手段180と、所定の契機により実行抽選の抽選状態を特殊抽選状態へ移行させることを決定する特殊抽選状態移行決定手段150と、を備え、遊技状態が特別状態でかつ実行抽選の抽選状態が通常抽選状態である遊技中は、実行抽選及び遊技制御装置演出の実行を禁止する禁止区間とし、抽選状態移行制御手段180は、遊技状態が通常状態でかつ実行抽選の抽選状態が通常抽選状態であって、特殊抽選状態移行決定手段150により実行抽選の抽選状態を特殊抽選状態へ移行させることが決定されている状態で、所定の条件が成立した場合に、抽選状態を特殊抽選状態へ移行させ、遊技状態が通常状態でかつ実行抽選の抽選状態が通常抽選状態であって、特殊抽選状態移行決定手段150により実行抽選の抽選状態を特殊抽選状態へ移行させることが決定されている状態で、所定の条件が成立するまでの間に、遊技状態が特別状態へ移行する特定の移行条件が成立して禁止区間に属することとなる場合には、実行抽選の抽選状態を特殊抽選状態へ移行させることの決定を取り消し又は無効にして、実行抽選の抽選状態を特殊抽選状態へ移行させないように形成されていることを特徴とする。
【０００８】
ここで、「遊技制御装置演出」としては、たとえば、遊技の進行を遅延させるフリーズ演出などが挙げられる。
すなわち本発明では、遊技状態として少なくとも、通常状態と特別状態とを備え、また、実行する遊技制御装置演出を決定する実行抽選の抽選状態として少なくとも、通常抽選状態と、特殊抽選状態とを備えている。また、本発明では、遊技状態が特別状態でかつ実行抽選の抽選状態が通常抽選状態である遊技中は、実行抽選及び遊技制御装置演出の実行を禁止する禁止区間としている。
そして、本発明では、遊技状態が通常状態でかつ実行抽選の抽選状態が通常抽選状態であって、実行抽選の抽選状態を特殊抽選状態へ移行させることが決定されている状態で、所定の条件が成立した場合に、抽選状態を特殊抽選状態へ移行させるものの、抽選状態を特殊抽選状態へ移行させることが決定されてから所定の条件が成立するまでの間に、遊技状態が特別状態へ移行する特定の移行条件が成立して禁止区間に属することとなる場合には、実行抽選の抽選状態を特殊抽選状態へ移行させることの決定を取り消し又は無効にして、実行抽選の抽選状態を特殊抽選状態へ移行させないようにしている。たとえば、特殊抽選状態において実行する遊技制御装置演出（たとえばフリーズ演出）によりＡＲＴ遊技へ移行可能とし、遊技状態が特別状態（たとえばＡＲＴ遊技が行われる遊技状態であるＲＴ状態）でかつ実行抽選の抽選状態が通常抽選状態である遊技中は禁止区間とする、とする。この場合には、遊技状態が特別状態（ＲＴ状態）へ移行する特定の移行条件が成立することにより、実行抽選の抽選状態を特殊抽選状態へ移行させないように、すなわち特殊抽選状態で実行抽選が行われないようにすることができ、ひいては特殊抽選状態において実行する遊技制御装置演出（たとえばフリーズ演出）によるＡＲＴ遊技への移行も行われないようにすることができる。
【０００９】
（請求項２）
請求項２記載の発明は、上記請求項１記載の発明の特徴に加え、周囲に複数の図柄が付された複数の回転リール45と、すべての回転リール45の回転を開始させるためのスタートスイッチ33と、各回転リール45に対応して設けられかつ回転リール45の回転を停止させるためのストップスイッチ34と、を備え、遊技制御装置21は、複数の役のいずれかに当選か又はハズレかの役抽選を行う役抽選手段100と、役抽選の結果と、各ストップスイッチ34が操作された際における対応する回転リール45の回転位置とに基づいて、各回転リール45の回転を適位置で停止させる停止制御を行う停止制御手段120と、を備え、停止制御手段120は、役抽選の結果が特定の結果である場合に、ストップスイッチ34の操作態様が特定の操作態様であることに基づいて、特定の図柄の組み合わせが有効入賞ライン上に停止表示されるように停止制御を行い、遊技状態移行制御手段135は、通常状態において、特定の移行条件として、特定の図柄の組み合わせが有効入賞ライン上に停止表示されたことを契機に、遊技状態を特別状態に移行させるように形成され、抽選状態移行制御手段180は、遊技状態が通常状態でかつ実行抽選の抽選状態が通常抽選状態であって、特殊抽選状態移行決定手段150により実行抽選の抽選状態を特殊抽選状態へ移行させることが決定されている状態で、所定の条件が成立するまでの間に、特定の図柄の組み合わせが有効入賞ライン上に停止表示されて禁止区間に属することとなる場合には、実行抽選の抽選状態を特殊抽選状態へ移行させることの決定を取り消し又は無効にして、実行抽選の抽選状態を特殊抽選状態へ移行させないように形成されていることを特徴とする。
【００１０】
ここで、「特定の図柄の組み合わせ」は、役を構成する図柄の組み合わせであっても、役を構成しない図柄の組み合わせであってもよいものである。
また、「ストップスイッチの操作態様」には、ストップスイッチ34の操作順序や、ストップスイッチ34の操作のタイミングなどが含まれるものである。
すなわち本発明では、役抽選の結果が特定の結果である場合に、特定の操作態様でストップスイッチ34の操作が行われると、特定の図柄の組み合わせが有効入賞ライン上に停止表示される。そして、通常状態において、特定の図柄の組み合わせが有効入賞ライン上に停止表示されると、遊技状態が特別状態へ移行する。
【００１１】
（請求項３）
請求項３記載の発明は、上記請求項２記載の発明の特徴に加え、役抽選手段100は、特定の図柄の組み合わせにより構成される特定役を含む複数種類の役に対応付けられた特定の重複当選領域及びハズレに対応付けられたハズレ領域を少なくとも抽選対象として役抽選を行うように形成され、停止制御手段120は、役抽選により特定の結果として特定の重複当選領域に当選した場合に、特定の操作態様として特定の操作順序でストップスイッチ34の操作が行われたときには、特定役以外の当選した他の役を構成する図柄の組み合わせが有効入賞ライン上に停止表示されることを回避しつつ特定役を構成する特定の図柄の組み合わせが有効入賞ライン上に停止表示されるように停止制御を行うとともに、特定の操作順序以外の操作順序でストップスイッチ34の操作が行われたときには、特定役を構成する特定の図柄の組み合わせが有効入賞ライン上に停止表示されることを回避しつつ特定役以外の当選した他の役を構成する図柄の組み合わせが有効入賞ライン上に停止表示されことがあるように停止制御を行うように形成されていることを特徴とする。
【００１２】
（請求項４）
請求項４記載の発明は、上記請求項３記載の発明の特徴に加え、演出制御装置22は、特別演出状態を含む複数の演出状態の間で演出状態を切り替える演出状態切替制御手段220と、演出状態が特別演出状態である場合に、役抽選の結果に関する情報を遊技者に報知する報知演出を実行する演出実行手段240と、を備え、演出実行手段240は、演出状態が特別演出状態でかつ遊技状態が通常状態である場合に、役抽選により特定の重複当選領域に当選したときに、報知演出として、ストップスイッチ34の特定の操作順序を遊技者に報知する操作順序報知演出を実行し、演出制御装置22は、遊技状態が通常状態でかつ演出実行手段240により操作順序報知演出が実行されていない場合に、特定の操作順序でストップスイッチ34の操作が行われたときに、所定の不利益を遊技者に付与する不利益付与手段250を備え、演出状態切替制御手段220は、遊技状態が特別状態である場合に、演出状態を特別演出状態に設定することがあり、演出状態が特別演出状態で遊技状態が特別状態である遊技を実行可能に形成されていることを特徴とする。
【００１３】
すなわち本発明では、演出状態として、特別演出状態を含む複数の演出状態を備え、演出状態が特別演出状態でかつ遊技状態が通常状態である場合に、役抽選により特定の重複当選領域に当選したときには、ストップスイッチ34の特定の操作順序を遊技者に報知する操作順序報知演出を実行する。この報知に従ってストップスイッチ34の操作を行うと、特定役を構成する特定の図柄の組み合わせが有効入賞ライン上に停止表示され、遊技状態が特別状態へ移行するとともに禁止区間に属することとなる。
また、本発明では、遊技状態が通常状態でかつ操作順序報知演出が実行されていない場合に、特定の操作順序でストップスイッチ34の操作が行われたときに、所定の不利益を遊技者に付与する。
【００１４】
そして、本発明では、演出状態が特別演出状態で遊技状態が特別状態である遊技（たとえばＡＲＴ遊技）を実行可能とする。たとえば、特殊抽選状態において実行する遊技制御装置演出（たとえばフリーズ演出）によりＡＲＴ遊技へ移行可能とし、遊技状態が特別状態（たとえばＡＲＴ遊技が行われる遊技状態であるＲＴ状態）でかつ実行抽選の抽選状態が通常抽選状態である遊技中は禁止区間とする、とする。この場合には、通常状態において特定役を構成する特定の図柄の組み合わせが有効入賞ライン上に停止表示されることにより、遊技状態が特別状態（たとえばＲＴ状態）へ移行するとともに禁止区間に属することとなる。これにより、ＡＲＴ遊技において、実行抽選及び遊技制御装置演出が行われないようにすることができる。
【発明の効果】
【００１５】
本発明は、以上のように構成されているので、以下に記載されるような効果を奏する。
（請求項１、２又は３）
すなわち、請求項１、２又は３記載の発明によれば、遊技状態が特別状態へ移行する特定の移行条件が成立したことに伴い、実行抽選の抽選状態を特殊抽選状態へ移行させることの決定を取り消し又は無効にして、実行抽選の抽選状態を特殊抽選状態へ移行させないようにしたので、設計者の意図しないタイミングで、特殊抽選状態で実行抽選が行われることを防止することができ、ひいてはフリーズ演出などの遊技制御装置演出が設計者の意図しないタイミングで実行されることを十分に防止することができる。
【００１６】
（請求項４）
すなわち、請求項４記載の発明によれば、上記請求項３記載の発明の効果に加え、遊技状態が特別状態でかつ実行抽選の抽選状態が通常抽選状態である遊技中は、実行抽選及び遊技制御装置演出の実行を禁止する禁止区間としたので、演出状態が特別演出状態で遊技状態が特別状態である遊技（たとえばＡＲＴ遊技）において、実行抽選及び遊技制御装置演出が行われないようにすることできる。
【図面の簡単な説明】
【００１７】
【図１】本発明の実施の形態であって、スロットマシンの正面図である。
【図２】各回転リールの図柄の配列を説明するための説明図である。
【図３】スロットマシンのブロック図である。
【図４】役を説明するための説明図である。
【図５】役抽選テーブルを説明するための説明図である。
【図６】遊技状態の移行を説明するための説明図である。
【図７】フリーズ演出データテーブルを説明するための説明図である。
【図８】シナリオテーブルを説明するための説明図である。
【図９】通常実行抽選データテーブルを説明するための説明図である。
【図１０】特殊実行抽選データテーブルを説明するための説明図である。
【図１１】特殊抽選状態移行抽選データテーブルを説明するための説明図である。
【図１２】禁止区間及び実行抽選禁止区間を説明するための説明図である。
【図１３】ＡＴ抽選データテーブルを説明するための説明図である。
【図１４】メイン制御処理の概略を示すフローチャートである。
【図１５】フリーズ演出決定処理を示すフローチャートである。
【図１６】役抽選時禁止区間処理を示すフローチャートである。
【図１７】図柄判定時禁止区間処理を示すフローチャートである。
【図１８】サブ制御処理の概略を示すフローチャートである。
【発明を実施するための形態】
【００１８】
本発明の実施の形態を、図１〜図１８に基づいて説明する。
以下、「前面」とは、遊技機において遊技を行う際に遊技者が向き合う面をいい、「右側」とは、遊技機の前面に向き合って遊技を行う遊技者から見て右側をいい、「左側」とは、遊技機の前面に向き合って遊技を行う遊技者から見て左側をいう。
（スロットマシン10）
図１に概略を示すように、遊技機としてのスロットマシン10は、前面に開口部を有する箱型の筐体11を備え、筐体11の前面には、開口部を塞ぐ前扉12を備え、筐体11の内部には、３個の回転リール45を横並びに配置したリールユニット40や、スロットマシン10を制御するための制御装置20や、遊技媒体としてのメダルを払い出すためのホッパーユニットや、スロットマシン10が備える各装置に電力を供給するための電源ユニットなどを備えている。
【００１９】
また、３個の回転リール45のうち、左側に位置するのが左リール46であり、中央に位置するのが中リール47であり、右側に位置するのが右リール48である。
また、前扉12の上部には、上パネル13を備え、前扉12の下部には、下パネル14を備え、前扉12の前面における、上パネル13と下パネル14との間には、前方へ向けて突出する操作部16を備えている。
また、上パネル13のほぼ中央には、各回転リール45の周囲に付されている図柄を遊技者に見せるための図柄表示窓15が設けられている。この図柄表示窓15は、３個すべての回転リール45の回転が停止した際には、縦３列横３行に配置した合計９個の図柄を遊技者に見せるように形成されている。
【００２０】
また、入賞ラインとして、上段の３個の図柄を通る上段入賞ラインと、中段の３個の図柄を通る中段入賞ラインと、下段の３個の図柄を通る下段入賞ラインと、左下・中央・右上の３個の図柄を通る右上り入賞ラインと、左上・中央・右下の３個の図柄を通る右下り入賞ラインとが設けられている。
また、上パネル13における、図柄表示窓15の上方に相当する位置には、画像を表示する表示装置55が設けられている。また、上パネル13の周囲縁には、演出用ランプ17が設けられている。
また、操作部16の上面右側には、遊技媒体としてのメダルを直接投入するためのメダル投入口36が設けられ、操作部16の上面左側には、スロットマシン10に電子的に貯留（クレジット）されているメダルを内部投入するためのベットスイッチ32が設けられ、操作部16の上面左端付近には、クレジットされているメダルを返却するための精算スイッチ35が設けられ、操作部16の前面左側には、回転リール45の回転を開始させるためのスタートスイッチ33が設けられ、操作部16の前面中央には、回転リール45の回転を停止させるためのものであって各回転リール45にそれぞれ対応している３個のストップスイッチ34が横並びに設けられている。
【００２１】
また、３個のストップスイッチ34のうち、左側に位置するのが左停止スイッチ56であり、中央に位置するのが中停止スイッチ57であり、右側に位置するのが右停止スイッチ58である。また、左停止スイッチ56は左リール46に対応しており、また、中停止スイッチ57は中リール47に対応しており、また、右停止スイッチ58は右リール48に対応している。
また、前扉12の下部中央には、メダルを払い出すためのメダル払出口37が設けられ、メダル払出口37の下方には、メダル払出口37から払い出されたメダルを受け止めて貯留するためのメダル受け皿38が設けられている。また、前扉12には、図示しないスピーカが設けられている。
【００２２】
（リールユニット40）
リールユニット40は、横並びに設けた３個の回転リール45と、各回転リール45を回転させるためのものであって各回転リール45にそれぞれ対応しているステッピングモータと、これらを支持するためのフレームとを備えている。
また、各回転リール45の周囲には、複数種類の図柄が所定の配列で合計２１個付されている。具体的には、各回転リール45の周囲には、図２に示すように、「赤７Ａ」、「赤７Ｂ」、「青７」、「ＢＡＲ」、「リプレイ」、「プラム」、「ベル」及び「チェリー」の図柄が付されている。
【００２３】
また、各ステッピングモータの出力軸には、対応する回転リール45がそれぞれ固定されている。また、ステッピングモータは、パルス信号によって駆動するものであって、入力されるパルス信号のパターンによって、加速・定速・減速のパターンが決まる。そして、ステッピングモータが駆動すると、ステッピングモータの出力軸を中心に、対応する回転リール45が回転する。また、ステッピングモータは、一のパルス信号の入力により、回転リール45の周囲に付された図柄１個分に相当する量駆動する。そして、ステッピングモータが図柄１個分に相当する量駆動すると、対応する回転リール45が、周囲に付された図柄１個分に相当する量回転する（１コマ回転する）。
【００２４】
また、各回転リール45には、インデックスセンサにより検知されるインデックスが設けられており、インデックスが検知されてからのステッピングモータのパルス数により回転リール45の回転位置及び停止位置を特定できるようになっている。
（制御装置20）
制御装置20は、図３に示すように、主として遊技を制御する遊技制御装置21と、遊技制御装置21からの信号を受信して、主として遊技の演出を制御する演出制御装置22とを備えている。
遊技制御装置21は、メイン基板などとも呼ばれるものであって、ＣＰＵ、ＲＡＭ、ＲＯＭ、及びＩ／Ｏなどを備えたマイクロコンピュータを用いて構成されている。ＣＰＵがＲＯＭに記憶された所定のプログラムを実行することにより、遊技制御装置21を構成するマイクロコンピュータが、役の抽選（役抽選）、回転リール45の回転・停止及びメダルの払い出しなどの遊技の進行を制御する遊技制御手段60として機能する。詳細には、遊技制御手段60は、図３に示すように、役抽選手段100、回転制御手段110、ウェイト制御手段115、停止制御手段120、停止図柄判定手段130、遊技状態移行制御手段135、遊技制御装置演出データ記憶手段140、特殊抽選状態移行決定手段150、禁止区間設定手段155、遊技制御装置演出決定手段160、遊技制御装置演出実行手段170及び抽選状態移行制御手段180などとして機能する。遊技制御装置21の入力手段としては、ベットスイッチ32、スタートスイッチ33、ストップスイッチ34、精算スイッチ35及びリールユニット40の各回転リール45のインデックスセンサなどが接続され、遊技制御装置21の出力手段としては、リールユニット40のステッピングモータや、ホッパーユニットなどが接続されている。
【００２５】
また、演出制御装置22は、サブ基板などとも呼ばれるものであって、遊技制御装置21と同様に、ＣＰＵ、ＲＡＭ、ＲＯＭ、及びＩ／Ｏなどを備えたマイクロコンピュータを用いて構成されている。ＣＰＵがＲＯＭに記憶された所定のプログラムを実行することにより、演出制御装置22を構成するマイクロコンピュータが、役抽選の結果や、遊技の進行に応じて遊技の演出を制御する演出制御手段230として機能する。演出制御装置22の入力手段としては遊技制御装置21が接続され、演出制御装置22の出力手段としては、表示装置55や、演出用ランプ17や、図示しないスピーカなどが接続されている。
また、遊技制御装置21と演出制御装置22との間における信号の送受信は、遊技制御装置21における役抽選に関するデータ等の内部データの信頼性を担保すべく、一方通行となるように形成されている。すなわち、遊技制御装置21から演出制御装置22に向かってのみ信号が出力され、演出制御装置22から遊技制御装置21に向かっていかなる信号も出力されないように形成されている。
【００２６】
次に、スロットマシン10における遊技について説明する。
遊技開始前の初期状態においては、メダル投入口36から遊技媒体としてのメダルを投入することによるメダルのベット、ベットスイッチ32を操作することによるクレジットされているメダルのベットのみが有効である。また、１回の遊技につき、最小で１枚、最大で３枚のメダルのベットが可能である。メダルをベットすると、メダルのベット枚数に応じた本数の入賞ラインが有効になるとともに、スタートスイッチ33のみが有効になる。これにより、遊技が開始可能となる。なお、後述する再遊技のときには、前回の遊技でベットした枚数と同数のメダルが自動的にベットされて、スタートスイッチ33のみが有効になる。
【００２７】
なお、以下において、有効になった入賞ラインを「有効入賞ライン」と称する。
有効になったスタートスイッチ33を操作すると、複数の役のいずれかに当選か又はハズレかの役抽選が行われるとともに、３個すべての回転リール45の回転が開始する。また、有効になったスタートスイッチ33を操作すると、メダル投入口36からメダルを投入することによるメダルのベット及びベットスイッチ32を操作することによるクレジットされているメダルのベット、並びにスタートスイッチ33が無効になる。そして、３個すべての回転リール45の回転が所定の定常速度になって定常回転するようになると、３個すべてのストップスイッチ34が有効になる。
【００２８】
有効になった３個のストップスイッチ34のうちの１個を操作すると、当該ストップスイッチ34に対応した回転リール45の回転が停止するとともに、当該ストップスイッチ34が無効になる。そして、有効な２個のストップスイッチ34のうちの１個を操作すると、当該ストップスイッチ34に対応した回転リール45の回転が停止するとともに、当該ストップスイッチ34が無効になる。さらに、残る１個の有効なストップスイッチ34を操作すると、当該ストップスイッチ34に対応した回転リール45の回転が停止するとともに、当該ストップスイッチ34が無効になる。
すなわち、３個すべてのストップスイッチ34の操作を終えると、３個すべての回転リール45の回転が停止する。このとき、メダル投入口36からメダルを投入することによるメダルのベット及びベットスイッチ32を操作することによるクレジットされているメダルのベット、並びにスタートスイッチ33及び３個すべてのストップスイッチ34が無効になっている。
【００２９】
そして、３個すべての回転リール45の回転が停止したときに、いずれかの有効入賞ライン上に、役抽選で当選した役を構成する図柄の組み合わせが停止表示されると、当該役に応じた枚数のメダルを獲得できる。また、獲得したメダルは、クレジットされ、クレジット数が上限値に達したときには、ホッパーユニットが駆動して、上限値を超えた分がメダル払出口37から払い出される。また、メダルの獲得に代えて、あるいはメダルの獲得とともに、遊技者に対して所定の利益が付与されることもある。これにより、１回の遊技が終了する。
１回の遊技が終了すると、再び遊技開始前の初期状態となり、メダル投入口36からメダルを投入することによるメダルのベット、ベットスイッチ32を操作することによるクレジットされているメダルのベットのみが有効になる。そして、メダルをベットすることで、遊技が開始可能となる。
【００３０】
ここで、役には、有効入賞ライン上に所定の図柄の組み合わせが停止表示されることにより、メダルが払い出される小役と、有効入賞ライン上に所定の図柄の組み合わせが停止表示されることにより、メダルの払い出しはないがメダルを新たに投入することなく前回の遊技と同じ条件で再度遊技を行うことができる再遊技を実行させる再遊技役と、有効入賞ライン上に所定の図柄の組み合わせが停止表示されることにより、メダルの払い出しはないが後述するボーナス状態へ移行するボーナス役とがある。
具体的には、図４に示すように、小役には、プラム役と、赤７プラム役と、青７プラム役と、ＢＡＲプラム役と、ベル役と、チェリー役とがある。たとえば、チェリー役は、「ＡＮＹ」「チェリー」「ＡＮＹ」（「ＡＮＹ」は、いずれの図柄であってもよいことを意味する。）の図柄の組み合わせにより構成される。そして、役を構成する図柄の組み合わせがいずれかの有効入賞ライン上に停止表示されることにより、当該役に応じた所定枚数のメダルが払い出される。
【００３１】
また、図４に示すように、再遊技役には、リプレイＡ役と、リプレイＢ役（特定役）と、リプレイＣ役と、リプレイＤ役とがある。たとえば、リプレイＡ役は、「リプレイ」「リプレイ」「リプレイ」の図柄の組み合わせにより構成され、また、たとえば、リプレイＢ役は、「リプレイ」「リプレイ」「ベル」の図柄の組み合わせ（特定の図柄の組み合わせ）により構成される。
また、図４に示すように、ボーナス役には、赤７ＢＢ役と、青７ＢＢ役と、ＲＢ役とがある。たとえば、赤７ＢＢ役は、「赤７Ａ」「赤７Ａ」「赤７Ａ」の図柄の組み合わせにより構成される。そして、役を構成する図柄の組み合わせがいずれかの有効入賞ライン上に停止表示されることにより、ボーナス状態へ移行する。なお、本実施の形態では、ボーナス役は、メダルの払い出しを行うことなく、ボーナス状態へ移行するようになっているが、所定枚数（たとえば１５枚）のメダルを払い出した後に、ボーナス状態へ移行するようにしてもよい。
【００３２】
また、本実施の形態では、遊技制御装置21における遊技状態（役抽選の状態）として、図６に示すように、通常状態と、ＲＴ状態（特別状態）と、内部中状態と、ボーナス状態とを備えている。また、ボーナス状態には、ビッグボーナス状態（ＢＢ状態）と、レギュラーボーナス状態（ＲＢ状態）とがある。なお、遊技状態としてはこれに限られるものではない。また、遊技状態の詳細については後述する。
（役抽選手段100）
役抽選手段100は、複数の役のいずれかに当選か又はハズレかの役抽選を行うものである。役抽選手段100は、乱数発生手段と、乱数抽出手段と、役抽選テーブルと、判定手段とを備えている。
【００３３】
乱数発生手段は、役抽選用の乱数を、所定の範囲内（たとえば、１０進数で０〜６５５３５）で発生させるものである。また、乱数抽出手段は、乱数発生手段が発生させた乱数を、所定の契機（たとえば、スタートスイッチ33の操作）で抽出するものである。なお、乱数発生手段は、カウンタ回路などによって構成されるため、乱数発生手段が発生させる数値は、厳密には乱数ではない。ただ、スタートスイッチ33が操作されるタイミングは、ランダムであると考えられるため、乱数抽出手段が抽出する数値は、実質的には乱数として取り扱うことができる。
また、役抽選テーブルは、乱数発生手段が発生させる範囲内の各乱数について、複数の役のいずれかに当選か又はハズレかをあらかじめ定めたものである。本実施の形態では、役抽選テーブルには、通常状態において用いられる通常役抽選テーブルと、ＲＴ状態において用いられるＲＴ役抽選テーブルと、内部中状態において用いられる内部中役抽選テーブルと、ボーナス状態（ＢＢ状態及びＲＢ状態）において用いられるボーナス役抽選テーブルとがある。各役抽選テーブルには、当選の領域と、ハズレの領域（ハズレ領域）とが設定されている。なお、当選の領域としては、１つの役にのみ当選する単独当選領域の他に、複数の役に同時に当選する重複当選領域を設定することができる。
【００３４】
たとえば、通常役抽選テーブルには、図５に示すように、各ボーナス役に対応付けられた単独当選領域、各小役に対応付けられた単独当選領域、リプレイＡ役に対応付けられた単独当選領域、ボーナス役（赤７ＢＢ役、青７ＢＢ役又はＲＢ役）とベル役に対応付けられた重複当選領域、ボーナス役（赤７ＢＢ役、青７ＢＢ役又はＲＢ役）とチェリー役に対応付けられた重複当選領域、リプレイＡ役とリプレイＢ役に対応付けられた重複当選領域（以下、この重複当選領域を、「リプレイＡＢ役」と称する。）及びリプレイＡ役〜リプレイＣ役に対応付けられた重複当選領域（以下、この重複当選領域を、「リプレイＡＢＣ役」と称する。）が設定されている。
【００３５】
また、たとえば、ＲＴ役抽選テーブルには、図５に示すように、各ボーナス役に対応付けられた単独当選領域、各小役に対応付けられた単独当選領域、リプレイＡ役に対応付けられた単独当選領域、ボーナス役（赤７ＢＢ役、青７ＢＢ役又はＲＢ役）とベル役に対応付けられた重複当選領域、ボーナス役（赤７ＢＢ役、青７ＢＢ役又はＲＢ役）とチェリー役に対応付けられた重複当選領域、リプレイＡ役とリプレイＣ役に対応付けられた重複当選領域（以下、この重複当選領域を、「リプレイＡＣ役」と称する。）、リプレイＢ役とリプレイＣ役に対応付けられた重複当選領域（以下、この重複当選領域を、「リプレイＢＣ役」と称する。）及びリプレイＡ役とリプレイＣ役とリプレイＤ役に対応付けられた重複当選領域（以下、この重複当選領域を、「リプレイＡＣＤ役」と称する。）が設定されている。
【００３６】
また、たとえば、ボーナス役抽選テーブルには、図５に示すように、プラム役と赤７プラム役と青７プラム役とＢＡＲプラム役の重複当選領域（以下、この重複当選領域を、「重複小役」と称する。）が設定されている。なお、重複当選領域における複数の役の組み合わせについては、これに限られるものではない。
また、本実施の形態では、リプレイＡＢ役とリプレイＡＢＣ役とが、「特定の重複当選領域」に相当する。
また、判定手段は、乱数抽出手段が抽出した乱数と、役抽選テーブルとを照合して、複数の役のいずれかに当選か又はハズレかの判定を行うものである。具体的には、判定手段は、複数の役のいずれかに当選か又はハズレかの判定を行う際に、その時点における遊技状態に対応する役抽選テーブルを適宜用いて、当該判定を行うものとなっている。
【００３７】
そして、役抽選手段100による役抽選で、いずれかの役に当選すると、当選した役に対応する当選フラグが成立する。なお、役抽選手段100による役抽選で、複数の役に重複当選した場合には、当選した複数の役それぞれに対応する当選フラグが成立する。
ここで、当選フラグには、役抽選手段100による役抽選の結果が、小役の当選である場合に成立する小役当選フラグ（プラム当選フラグ、赤７プラム当選フラグ、青７プラム当選フラグ、ＢＡＲプラム当選フラグ、ベル当選フラグ及びチェリー当選フラグ）と、役抽選手段100による役抽選の結果が、再遊技役の当選である場合に成立する再遊技当選フラグ（リプレイＡ当選フラグ、リプレイＢ当選フラグ、リプレイＣ当選フラグ及びリプレイＤ当選フラグ）と、役抽選手段100による役抽選の結果が、ボーナス役の当選である場合に成立するボーナス当選フラグ（赤７ＢＢ当選フラグ、青７ＢＢ当選フラグ及びＲＢ当選フラグ）とがある。
【００３８】
そして、小役当選フラグ及び再遊技当選フラグは、成立した遊技においてのみ有効となるものの、ボーナス当選フラグは、次の遊技へ持ち越すことができるものとなっており、当選したボーナス役を構成する図柄の組み合わせがいずれかの有効入賞ライン上に停止表示されることにより消去されるものとなっている。
また、役抽選手段100は、役抽選の結果を演出制御装置22に送信する。
（回転制御手段110）
回転制御手段110は、スタートスイッチ33の操作を契機に、３個すべての回転リール45の回転を開始させるとともに、３個すべての回転リール45の回転駆動を制御するものである。具体的には、回転制御手段110は、スタートスイッチ33の操作を契機に、３個すべての回転リール45の回転を開始させて、その回転速度が所定の定常速度に達するまで加速処理を行う。そして、回転制御手段110は、回転リール45の回転速度が所定の定常速度に達したときには、回転リール45を所定の定常速度で定速回転させる定速処理を行う。
【００３９】
（ウェイト制御手段115）
ウェイト制御手段115は、１回の遊技における遊技時間が、予め定められた所定時間（以下、「ウェイト時間」と称する。）以下とならないように制御するものである。本実施の形態では、ウェイト時間は、４．１秒に設定されている。
また、本実施の形態では、ウェイト制御手段115は、ウェイト時間を計時する計時手段を有している。具体的には、ウェイト制御手段115は、一の遊技において、回転制御手段110により回転リール45の回転が開始されたことを契機に、計時手段に計時を開始させる。そして、次の遊技において、回転制御手段110により回転リール45の回転が開始されたことを契機に、計時手段による計時をリセットして再度計時を開始させる。そして、それ以降の遊技においても同様に、毎遊技、回転制御手段110により回転リール45の回転が開始されたことを契機に、ウェイト制御手段115は、計時手段による計時をリセットして再度計時を開始させる。
【００４０】
そして、ウェイト制御手段115は、遊技の開始に係るスタートスイッチ33が操作された際における、計時手段により計時される計時時間が４．１秒以下であった場合には、回転制御手段110によるすべての回転リール45の回転を開始させる処理を一旦保留し、計時時間が４．１秒経過した後に、保留を解除し、保留した当該処理を回転制御手段110に開始させる。
また、本実施の形態では、遊技の開始に係るスタートスイッチ33が操作されると、後述する遊技制御装置演出実行手段170により、遊技の進行を遅延させるフリーズ演出が実行される場合がある。このような場合には、ウェイト制御手段115は、スタートスイッチ33の操作を契機に、計時手段により計時される計時時間が４．１秒以下であるか否かを判断する。そして、計時時間が４．１秒以下であった場合には、ウェイト制御手段115は、回転制御手段110による、３個すべての回転リール45の回転を開始させる処理の開始を一旦保留するウェイト処理を実行し、計時時間が４．１秒経過した後に、保留を解除し、保留した回転制御手段110による当該処理を開始可能とする。このとき、遊技制御装置演出実行手段170は、計時時間が４．１秒経過した後に、フリーズ演出を実行する。すなわち、計時時間が４．１秒経過した後に、遊技の進行を遅延させるフリーズ演出を実行する。
【００４１】
また、本実施の形態では、ウェイト制御手段115は、フリーズ演出が実行された場合には、フリーズ演出が終了して、回転制御手段110により回転リール45の回転が開始されたことを契機に、計時手段に計時を開始させる。
なお、ウェイト制御手段115は、回転制御手段110により回転リール45の回転が開始されたことを契機に、計時手段に計時を開始させるものであるがこれに限られるものではない。たとえば、フリーズ演出が実行される場合には、ウェイト制御手段115は、当該フリーズ演出中のいずれかのタイミングから計時手段に計時を開始させるようにしてもよい。
（停止制御手段120）
停止制御手段120は、ストップスイッチ34の操作を契機として、役抽選手段100による役抽選の結果と、ストップスイッチ34が操作された時点における対応する回転リール45の回転位置とに基づいて、各回転リール45の回転を適位置で停止させる停止制御を行うものである。
【００４２】
具体的には、停止制御手段120は、各ストップスイッチ34が操作された際における対応する回転リール45の回転位置である操作位置を、対応するインデックスが検知されてから対応するストップスイッチ34が操作されるまでの間における対応するステッピングモータのステップ数で特定しつつ、有効入賞ライン上に直ちに停止できる図柄（すなわち、回転リール45の操作位置）を基準として、この図柄から回転方向に予め定められた個数（最大スベリコマ数、たとえば４コマ）移動した図柄までの範囲内で、対応する回転リール45を停止させるように形成されている。
ここで、「コマ」とは、回転リール45の回転量であって、回転リール45の周囲に付された図柄１個分に相当する量を意味するものである。
【００４３】
そして、停止制御手段120は、役抽選によりいずれかの役に当選の場合には、各回転リール45の回転を停止させるに際し、当選した役を構成する図柄の組み合わせが、いずれかの有効入賞ライン上に極力揃うように、かつ、当選した役以外の役を構成する図柄の組み合わせについては、いずれの有効入賞ライン上にも揃わないように、引き込み制御及び蹴飛ばし制御を行い、一方、役抽選によりいずれの役にも当選しなかった場合、すなわち役抽選の結果がハズレの場合には、各回転リール45の回転を停止させるに際し、いずれの有効入賞ライン上にも、いずれの役を構成する図柄の組み合わせも揃わないように、蹴飛ばし制御を行う。
【００４４】
また、本実施の形態では、複数の当選フラグが成立している場合があり、このような場合に、停止制御手段120は、引き込み制御において、当選した複数の役のうちいずれの役を優先して引き込むかを予め設定している。具体的には、停止制御手段120は、引き込み優先順位を、「再遊技役」＞「小役」＞「ボーナス役」に設定している。なお、引き込み優先順位は、これに限られるものではない。
また、本実施の形態では、上述の如く、ボーナス状態においては、重複小役に当選する場合があり、このような場合に、停止制御手段120は、引き込み制御において、当選した複数の小役のうちいずれの役を優先して引き込むかを予め設定している。具体的には、停止制御手段120は、小役の引き込み優先順位を、「赤７プラム役」＞「青７プラム役」＞「ＢＡＲプラム役」＞「プラム役」＞「ベル役」＞「チェリー役」に設定している。なお、小役の引き込み優先順位は、これに限られるものではない。
【００４５】
また、本実施形態では、各再遊技役（たとえば、リプレイＡ役とリプレイＢ役）は、それぞれ、同一の優先順位に設定されている。このため、本実施形態では、停止制御手段120は、役抽選により複数の再遊技役に重複して当選した場合（たとえば、リプレイＡＢ役に当選した場合）には、ストップスイッチ34の操作順序に応じて、当選した複数の再遊技役のうちいずれかの役を優先して引き込むように停止制御を行う。
また、本実施の形態では、停止制御手段120は、回転リール45の停止位置を予め定めた停止テーブルを備え、上記した引き込み制御及び蹴飛ばし制御を、この停止テーブルを用いて行う。また、停止制御手段120は、１つのフラグ状態ごとに１つの停止テーブルを備えている。ここで、フラグ状態とは、たとえばプラム当選フラグが成立している状態や、ベル当選フラグと赤７ＢＢ当選フラグが成立している状態などである。
【００４６】
そして、停止制御手段120は、リールユニット40の各ステッピングモータへのパルス信号の供給を停止することにより、回転リール45の回転を適位置で停止させる。
なお、停止制御手段120は、１つのフラグ状態及び遊技状態ごとに、１つの停止テーブルを備えるようにしてもよい。また、停止制御手段120は、引き込み制御及び蹴飛ばし制御を、所定の図柄を有効入賞ライン上に停止表示させるか否かを判断しながら制御を行うプログラム制御により行うようにしてもよい。
次に、再遊技役に関する停止制御、具体的には、リプレイＡＢ役、リプレイＡＢＣ役、リプレイＢＣ役、リプレイＡＣ役及びリプレイＡＣＤ役に関する停止テーブルについて説明する。
【００４７】
本実施の形態では、リプレイＡ役〜リプレイＣ役を構成する図柄の組み合わせは、図２の図柄の配列に示すように、それぞれ、ストップスイッチ34の操作のタイミングに関わらず、有効入賞ライン上に停止表示させることができるものとなっている。
（リプレイＡＢ役（特定の重複当選領域））
リプレイＡＢ役に当選した場合に参照される「リプレイＡＢ停止テーブル」には、中停止スイッチ57を最初に操作する順序（特定の操作順序）で各ストップスイッチ34（56,57,58）が操作されると、リプレイＡ役を構成する図柄の組み合わせが有効入賞ライン上に停止表示されることを回避しつつ、ストップスイッチ34の操作のタイミングに関わらず、リプレイＢ役（特定役）を構成する図柄の組み合わせが有効入賞ライン上に停止表示されるように操作位置に対する停止位置が規定されているとともに、左停止スイッチ56又は右停止スイッチ58を最初に操作する順序で各ストップスイッチ34（56,57,58）が操作されると、リプレイＢ役を構成する図柄の組み合わせが有効入賞ライン上に停止表示されることを回避しつつ、ストップスイッチ34の操作のタイミングに関わらず、リプレイＡ役を構成する図柄の組み合わせが有効入賞ライン上に停止表示されるように操作位置に対する停止位置が規定されている。
【００４８】
（リプレイＡＢＣ役（特定の重複当選領域））
リプレイＡＢＣ役に当選した場合に参照される「リプレイＡＢＣ停止テーブル」には、右停止スイッチ58を最初に操作する順序（特定の操作順序）で各ストップスイッチ34（56,57,58）が操作されると、リプレイＡ役及びリプレイＣ役を構成する図柄の組み合わせが有効入賞ライン上に停止表示されることを回避しつつ、ストップスイッチ34の操作のタイミングに関わらず、リプレイＢ役（特定役）を構成する図柄の組み合わせが有効入賞ライン上に停止表示されるように操作位置に対する停止位置が規定されているとともに、左停止スイッチ56又は中停止スイッチ57を最初に操作する順序で各ストップスイッチ34（56,57,58）が操作されると、リプレイＢ役及びリプレイＣ役を構成する図柄の組み合わせが有効入賞ライン上に停止表示されることを回避しつつ、ストップスイッチ34の操作のタイミングに関わらず、リプレイＡ役を構成する図柄の組み合わせが有効入賞ライン上に停止表示されるように操作位置に対する停止位置が規定されている。
【００４９】
（リプレイＢＣ役）
リプレイＢＣ役に当選した場合に参照される「リプレイＢＣ停止テーブル」には、中停止スイッチ57を最初に操作する順序で各ストップスイッチ34（56,57,58）が操作されると、リプレイＢ役を構成する図柄の組み合わせが有効入賞ライン上に停止表示されることを回避しつつ、ストップスイッチ34の操作のタイミングに関わらず、リプレイＣ役を構成する図柄の組み合わせが有効入賞ライン上に停止表示されるように操作位置に対する停止位置が規定されているとともに、左停止スイッチ56又は右停止スイッチ58を最初に操作する順序で各ストップスイッチ34（56,57,58）が操作されると、リプレイＣ役を構成する図柄の組み合わせが有効入賞ライン上に停止表示されることを回避しつつ、ストップスイッチ34の操作のタイミングに関わらず、リプレイＢ役を構成する図柄の組み合わせが有効入賞ライン上に停止表示されるように操作位置に対する停止位置が規定されている。
【００５０】
（リプレイＡＣ役）
リプレイＡＣ役に当選した場合に参照される「リプレイＡＣ停止テーブル」には、右停止スイッチ58を最初に操作する順序で各ストップスイッチ34（56,57,58）が操作されると、リプレイＡ役を構成する図柄の組み合わせが有効入賞ライン上に停止表示されることを回避しつつ、ストップスイッチ34の操作のタイミングに関わらず、リプレイＣ役を構成する図柄の組み合わせが有効入賞ライン上に停止表示されるように操作位置に対する停止位置が規定されているとともに、左停止スイッチ56又は中停止スイッチ57を最初に操作する順序で各ストップスイッチ34（56,57,58）が操作されると、リプレイＣ役を構成する図柄の組み合わせが有効入賞ライン上に停止表示されることを回避しつつ、ストップスイッチ34の操作のタイミングに関わらず、リプレイＡ役を構成する図柄の組み合わせが有効入賞ライン上に停止表示されるように操作位置に対する停止位置が規定されている。
【００５１】
（リプレイＡＣＤ役）
リプレイＡＣＤ役に当選した場合に参照される「リプレイＡＣＤ停止テーブル」には、左停止スイッチ56を最初に操作する順序で各ストップスイッチ34（56,57,58）が操作されると、リプレイＡ役及びリプレイＤ役を構成する図柄の組み合わせが有効入賞ライン上に停止表示されることを回避しつつ、ストップスイッチ34の操作のタイミングに関わらず、リプレイＣ役を構成する図柄の組み合わせが有効入賞ライン上に停止表示されるように操作位置に対する停止位置が規定されているとともに、中停止スイッチ57又は右停止スイッチ58を最初に操作する順序で各ストップスイッチ34（56,57,58）が操作されると、リプレイＣ役及びリプレイＤ役を構成する図柄の組み合わせが有効入賞ライン上に停止表示されることを回避しつつ、ストップスイッチ34の操作のタイミングに関わらず、リプレイＡ役を構成する図柄の組み合わせが有効入賞ライン上に停止表示されるように操作位置に対する停止位置が規定されている。
【００５２】
（停止図柄判定手段130）
停止図柄判定手段130は、すべての回転リール45の回転が停止した際に、有効入賞ライン上に停止表示されている図柄の組み合わせを判定するものである。
また、本実施の形態では、停止図柄判定手段130により判定が行われると、この判定の結果に基づいた制御が所定の手段により実行される。たとえば、停止図柄判定手段130により、いずれかの小役を構成する図柄の組み合わせが有効入賞ライン上に停止表示されていると判定されると、遊技制御手段60は、この小役に応じた所定枚数のメダルを払い出すようにする。具体的には、遊技制御手段60は、払い出すメダルのうちクレジット可能な数をクレジットし、クレジット数が上限値に達したときには、残りの枚数のメダルを、ホッパーユニットを作動させて払い出すように制御する。また、たとえば、停止図柄判定手段130により、再遊技役を構成する図柄の組み合わせが有効入賞ライン上に停止表示されていると判定されると、遊技制御手段60は、再遊技を実行する制御を行う。
【００５３】
また、停止図柄判定手段130は、判定の結果を演出制御装置22に送信する。
（遊技状態移行制御手段135）
遊技状態移行制御手段135は、遊技状態の移行を制御するものである。
上述の如く、本実施の形態では、遊技状態として、通常状態と、ＲＴ状態と、内部中状態と、ボーナス状態（ＢＢ状態及びＲＢ状態）とがある。そして、遊技状態移行制御手段135は、これらの遊技状態の間で、遊技状態を移行させる制御を行う。遊技状態の移行条件は、１の条件が定められていてもよいし、複数の条件が定められていてもよい。複数の条件が定められている場合には、複数の条件のうち１の条件が成立したこと、あるいは複数の条件の全てが成立したことに基づいて、遊技状態を他の遊技状態へ移行させることができる。
【００５４】
また、本実施の形態では、プラム役、赤７プラム役、青７プラム役、ＢＡＲプラム役、ベル役、チェリー役、リプレイＡ役及びリプレイＤ役は、遊技状態の移行条件となっていない。すなわち、たとえばスイカ役を構成する図柄の組み合わせが有効入賞ライン上に停止表示されても、遊技状態移行制御手段135は作動せず、現在の遊技状態に維持されたままとなる。
また、本実施の形態では、遊技状態移行制御手段135は、現在の遊技状態を示す信号を演出制御装置22に送信する。たとえば、遊技状態移行制御手段135は、遊技状態を移行させた場合に、移行後の遊技状態を示す信号を演出制御装置22に送信するようにしてもよいし、毎遊技、現在の遊技状態を示す信号を演出制御装置22に送信するようにしてもよい。
【００５５】
（通常状態）
通常状態は、上記複数種類の遊技状態のなかで初期状態に相当する遊技状態であり、通常状態からは、図６に示すように、ＲＴ状態、内部中状態及びボーナス状態への移行が可能となっている。また、通常状態では、上述の如く、通常役抽選テーブルを用いて役抽選が行われる。また、通常状態では、再遊技役の当選確率は、約１／７．２に設定され、また、チェリー役の単独当選確率は、約１／１００に設定されている。なお、これらの当選確率はこれに限らられるものではない。たとえば、チェリー役の単独当選確率は、出玉率（ベットされるメダルの総数に対する遊技者に付与するメダルの総数の比率）を定めた複数段階の設定値（たとえば１〜６）に応じて異なるようにしてもよい。
【００５６】
そして、本実施の形態では、遊技状態移行制御手段135は、図６に示すように、通常状態において、リプレイＢ役を構成する図柄の組み合わせが有効入賞ライン上に停止表示されたことを条件として、すなわちリプレイＢ役を構成する図柄の組み合わせが有効入賞ライン上に停止表示された（特定の移行条件が成立した）ことを契機として、遊技状態を、通常状態からＲＴ状態へ移行させる。なお、通常状態において、リプレイＣ役を構成する図柄の組み合わせが有効入賞ライン上に停止表示されても、遊技状態移行制御手段135は作動せず、遊技状態は維持されたままとなる。なお、通常状態から内部中状態又はボーナス状態への移行については後述する。
【００５７】
（ＲＴ状態（特別状態））
本実施の形態では、ＲＴ状態からは、図６に示すように、通常状態、内部中状態及びボーナス状態への移行が可能となっている。また、ＲＴ状態では、上述の如く、ＲＴ役抽選テーブルを用いて役抽選が行われる。また、ＲＴ状態では、再遊技役の当選確率は、約１／１．３に設定されている。これにより、ＲＴ状態は、通常状態よりも遊技者にとって有利な状態となっている。そして、再遊技役の当選確率を通常状態よりも高く設定した遊技である遊技状態がＲＴ状態である遊技は、ＲＴ（リプレイタイム）遊技などと呼ばれるものである。
【００５８】
そして、本実施の形態では、遊技状態移行制御手段135は、図６に示すように、ＲＴ状態において、リプレイＣ役を構成する図柄の組み合わせが有効入賞ライン上に停止表示されたことを条件として、遊技状態を、ＲＴ状態から通常状態へ移行させる。なお、ＲＴ状態において、リプレイＢ役を構成する図柄の組み合わせが有効入賞ライン上に停止表示されても、遊技状態移行制御手段135は作動せず、遊技状態は維持されたままとなる。
また、本実施の形態では、遊技状態移行制御手段135は、通常状態又はＲＴ状態において、役抽選によりボーナス役（赤７ＢＢ役、青７ＢＢ役又はＲＢ役）に当選した場合に、当該遊技で、当選したボーナス役を構成する図柄の組み合わせが有効入賞ライン上に停止表示されなかったことを条件として、遊技状態を、現在の遊技状態から内部中状態へ移行させ、また、当該遊技で、当選したボーナス役を構成する図柄の組み合わせが有効入賞ライン上に停止表示されたことを条件として、遊技状態を現在の遊技状態から当該ボーナス役に対応するボーナス状態へ移行させる。
【００５９】
（内部中状態）
本実施の形態では、内部中状態からは、図６に示すように、ボーナス状態への移行が可能となっており、遊技状態移行制御手段135は、内部中状態において、成立しているボーナス当選フラグ、すなわち当選の権利を持ち越しているボーナス役を構成する図柄の組み合わせが有効入賞ライン上に停止表示されたことを条件として、遊技状態を、内部中状態から当該ボーナス役に対応するボーナス状態へ移行させる。
（ボーナス状態）
上述の如く、本実施の形態では、ボーナス状態として、ＢＢ状態と、ＲＢ状態とがある。ＢＢ状態は、赤７ＢＢ役又は青７ＢＢ役を構成する図柄の組み合わせが有効入賞ライン上に停止表示されることにより移行する。また、ＲＢ状態は、ＲＢ役を構成する図柄の組み合わせが有効入賞ライン上に停止表示されることにより移行する。
【００６０】
また、本実施の形態では、ボーナス状態からは、図６に示すように、通常状態への移行が可能となっており、遊技状態移行制御手段135は、ボーナス状態において、所定枚数（たとえばＢＢ状態においては「２９７枚」、また、ＲＢ状態においては「６３枚」）のメダルを払い出したことを条件に、遊技状態を、ボーナス状態から通常状態へ移行させる。なお、ここで、「所定枚数のメダルを払い出した」には、払い出すメダルをクレジットする処理を含むものである。
なお、ボーナス状態から通常状態への移行条件、すなわちボーナス遊技（遊技状態がボーナス状態である遊技）の終了条件としては、他の条件（たとえば遊技回数）を設定することもできる。
【００６１】
（遊技制御装置演出データ記憶手段140）
遊技制御装置演出データ記憶手段140は、遊技制御装置21で実行可能な演出（以下、「遊技制御装置演出」とする。）の演出データを記憶するものである。本実施の形態では、遊技制御装置演出を、遊技の進行を遅延させるフリーズ演出としている。すなわち、本実施の形態では、遊技制御装置演出データ記憶手段140は、複数のフリーズ演出の演出データを記憶している。
ここで、「遊技の進行の遅延」とは、スタートスイッチ33が操作されてから全ての回転リール45が所定の定常速度に達して定速回転するまでの時間や、全ての回転リール45が所定の定常速度に達してからストップスイッチ34が有効となるまでの時間や、メダルを払い出す場合に、停止図柄判定手段130による判定が行われてからメダルの払い出しを開始するまでの時間や、当該遊技が終了してから次回の遊技の開始の受け付け、すなわち遊技開始前の初期状態になるまでの時間を、通常の遊技の進行よりも遅らせるものである。
【００６２】
本実施の形態では、「フリーズ演出」を、スタートスイッチ33が操作されてから全ての回転リール45が所定の定常速度に達して定速回転するまでの時間を、通常の遊技の進行よりも所定時間（以下、「遅延時間」とする。）遅らせることにより、遊技の進行を遅延させるものとしている。
また、本実施の形態では、図７に示すように、フリーズ演出として、Ｓフリーズ、Ｌフリーズ、２秒フリーズＡ、２秒フリーズＢ、４秒フリーズＡ、４秒フリーズＢ、６秒フリーズＡ、６秒フリーズＢ、８秒フリーズ及び７０秒フリーズを備えている。なお、フリーズ演出の種類としてはこれに限られるものではない。
【００６３】
そして、本実施の形態では、遊技制御装置演出データ記憶手段140は、演出データとして、上記各フリーズ演出の遅延時間を記憶している。具体的には、遊技制御装置演出データ記憶手段140は、図７に示すように、上記各フリーズ演出の遅延時間が規定されているフリーズ演出データテーブルを記憶している。フリーズ演出データテーブルには、たとえば、Ｌフリーズの遅延時間として「１０秒」が規定されている。
また、本実施の形態では、遊技制御装置演出データ記憶手段140は、演出データとして、図８に示すように、１回又は複数回の遊技にわたって実行するものであって、いずれかのフリーズ演出を実行するか否かの情報が遊技回数に対応付けられて規定されているシナリオテーブルを複数記憶している。具体的には、遊技制御装置演出データ記憶手段140は、シナリオテーブルとして、シナリオテーブル１〜シナリオテーブル８の８個のシナリオテーブルを記憶している。なお、シナリオテーブルの数はこれに限られるものではない。
【００６４】
たとえば、シナリオテーブル２には、図８に示すように、「１回」〜「４回」のそれぞれの遊技回数に対応付けられていずれのフリーズ演出も実行しないことが規定されている。また、たとえば、シナリオテーブル４には、「１回」の遊技回数に対応付けられてＳフリーズを実行することが規定され、「２回」〜「７回」のそれぞれの遊技回数に対応付けられていずれのフリーズ演出も実行しないことが規定されている。また、たとえば、シナリオテーブル８には、「１回」〜「３回」のそれぞれの遊技回数に対応付けられてＳフリーズを実行することが規定され、「４回」の遊技回数に対応付けられてＬフリーズを実行することが規定され、「５回」〜「１０回」のそれぞれの遊技回数に対応付けられていずれのフリーズ演出も実行しないことが規定されている。
【００６５】
なお、以下、シナリオテーブルを参照して実行する演出を「シナリオ演出」と、また、シナリオテーブル１〜シナリオテーブル８のそれぞれを参照して実行する演出を、それぞれ「シナリオ演出１」、「シナリオ演出２」、「シナリオ演出３」、「シナリオ演出４」、「シナリオ演出５」、「シナリオ演出６」、「シナリオ演出７」、「シナリオ演出８」と称する。
また、本実施の形態では、遊技制御装置演出データ記憶手段140は、複数のフリーズ演出のうちから実行するフリーズ演出を決定する抽選（以下、「実行抽選」とする。）の抽選確率が規定された実行抽選データテーブルを記憶している。なお、本実施の形態では、実行抽選の抽選状態として、通常抽選状態と、特殊抽選状態とを備えている。通常抽選状態は、シナリオ演出８を後述する特殊抽選状態移行フラグが成立していない場合では少なくとも抽選対象としかつ２秒フリーズＡ、４秒フリーズＡ、６秒フリーズＡ、８秒フリーズ及び７０秒フリーズを抽選対象とはしないものである。また、特殊抽選状態は、２秒フリーズＡ、４秒フリーズＡ、６秒フリーズＡ、８秒フリーズ及び７０秒フリーズを少なくとも抽選対象としかつシナリオ演出８を抽選対象とはしないものである。
【００６６】
そして、本実施の形態では、遊技制御装置演出データ記憶手段140は、実行抽選データテーブルとして、通常抽選状態において参照される通常実行抽選データテーブルと、特殊抽選状態において参照される特殊実行抽選データテーブルとを記憶している。具体的には、遊技制御装置演出データ記憶手段140は、通常実行抽選データテーブルとして、図９に示すように、役抽選によりベル役に単独当選したときに参照されるベル実行抽選データテーブルと、役抽選によりチェリー役に単独当選したときに参照されるチェリー実行抽選データテーブルと、役抽選によりボーナス役、ベル役及びチェリー役のうちのいずれの役にも当選しなかった（ハズレを含む）ときに参照される一般実行抽選データテーブルとを記憶している。各通常実行抽選データテーブルには、特殊抽選状態移行フラグが成立していない場合及び特殊抽選状態移行フラグが成立している場合のそれぞれの場合ごとに、シナリオテーブルの抽選確率（選択確率）が規定されている。なお、図９において、「フラグ無し」が、特殊抽選状態移行フラグが成立していない場合であり、また、「フラグ有り」が、特殊抽選状態移行フラグが成立している場合である。
【００６７】
たとえば、ベル実行抽選データテーブルには、図９（Ａ）に示すように、特殊抽選状態移行フラグが成立していない場合（フラグ無し）及び特殊抽選状態移行フラグが成立している場合（フラグ有り）のそれぞれの場合におけるシナリオテーブル２〜シナリオテーブル５のそれぞれの抽選確率（選択確率）が規定されている。また、たとえば、チェリー実行抽選データテーブルには、図９（Ｂ）に示すように、特殊抽選状態移行フラグが成立していない場合（フラグ無し）及び特殊抽選状態移行フラグが成立している場合（フラグ有り）のそれぞれの場合におけるシナリオテーブル２〜シナリオテーブル８のそれぞれの抽選確率（選択確率）が規定されている。また、たとえば、一般実行抽選データテーブルには、図９（Ｃ）に示すように、特殊抽選状態移行フラグが成立していない場合（フラグ無し）及び特殊抽選状態移行フラグが成立している場合（フラグ有り）のそれぞれの場合におけるシナリオテーブル１及びシナリオテーブル２のそれぞれの抽選確率（選択確率）が規定されている。
【００６８】
なお、図９（Ｂ）に示すように、チェリー実行抽選データテーブルには、シナリオテーブル８の抽選確率（選択確率）が１．０％に規定されているので、通常抽選状態は、特殊抽選状態移行フラグが成立していない場合に、シナリオ演出８を少なくとも抽選対象とするものである。
また、遊技制御装置演出データ記憶手段140は、特殊実行抽選データテーブルとして、図１０に示すように、役抽選によりボーナス役に当選したときに参照されるボーナス特殊実行抽選データテーブルと、役抽選によりボーナス役に当選しなかったときに参照される一般特殊実行抽選データテーブルとを記憶している。ボーナス特殊実行抽選データテーブルには、図１０（Ａ）に示すように、７０秒フリーズの抽選確率として、当選確率が１００．０％でかつハズレの確率が０．０％の抽選確率が規定されている。
【００６９】
また、一般特殊実行抽選データテーブルには、図１０（Ｂ）に示すように、フリーズ演出なし、２秒フリーズＡ、２秒フリーズＢ、４秒フリーズＡ、４秒フリーズＢ、６秒フリーズＡ、６秒フリーズＢ及び８秒フリーズのそれぞれの抽選確率（選択確率）が規定されている。たとえば、一般特殊実行抽選データテーブルには、４秒フリーズＡの選択確率として８．０％が規定されている。ここで、「フリーズ演出なし」とは、いずれのフリーズ演出も実行しないことを意味するものである。
また、本実施の形態では、遊技制御装置演出データ記憶手段140は、図１１に示すように、実行抽選の抽選状態を特殊抽選状態へ移行させるか否かを決定する抽選（以下、「特殊抽選状態移行抽選」とする。）の抽選確率か規定された特殊抽選状態移行抽選データテーブルを記憶している。具体的には、遊技制御装置演出データ記憶手段140は、特殊抽選状態移行抽選データテーブルとして、役抽選によりベル役に当選したときに参照されるベル移行抽選データテーブルと、役抽選によりチェリー役に当選したときに参照されるチェリー移行抽選データテーブルと、役抽選によりベル役及びチェリー役のうちのいずれの役にも当選しなかった（ハズレを含む）ときに参照される一般移行抽選データテーブルとを記憶している。ベル移行抽選データテーブルには、図１１（Ａ）に示すように、特殊抽選状態移行抽選の抽選確率として、当選確率が４０．０％でかつハズレの確率が６０．０％の抽選確率が規定され、また、チェリー移行抽選データテーブルには、図１１（Ｂ）に示すように、特殊抽選状態移行抽選の抽選確率として、当選確率が１０．０％でかつハズレの確率が９０．０％の抽選確率が規定され、また、一般移行抽選データテーブルには、図１１（Ｃ）に示すように、特殊抽選状態移行抽選の抽選確率として、当選確率が０．０％でかつハズレの確率が１００．０％の抽選確率が規定されている。
【００７０】
また、本実施の形態では、各実行抽選データテーブル及び各特殊抽選状態移行抽選データテーブルにおける各抽選確率は、生成した乱数の判定に用いる値数として各テーブルに規定されている。
なお、ベル移行抽選データテーブル、チェリー移行抽選データテーブル及び一般移行抽選データテーブルは、それぞれ１つに限られず、少なくとも一部の抽選確率が異なるテーブルを複数設けるようにしてもよい。たとえば、ベル移行抽選データテーブルとして複数のテーブルを設けるようにしてもよい。同様に、ベル実行抽選データテーブル、チェリー実行抽選データテーブル及び一般実行抽選データテーブルも、それぞれ１つに限られず、少なくとも一部の抽選確率（選択確率）が異なるテーブルを複数設けるようにしてもよい。また同様に、ボーナス特殊実行抽選データテーブル及び一般特殊実行抽選データテーブルも、それぞれ１つに限られず、少なくとも一部の抽選確率が異なるテーブルを複数設けるようにしてもよい。
【００７１】
（特殊抽選状態移行決定手段150）
特殊抽選状態移行決定手段150は、所定の契機により実行抽選の抽選状態を特殊抽選状態へ移行させることを決定するものである。本実施の形態では、特殊抽選状態移行決定手段150は、通常状態において、実行抽選の抽選状態が通常抽選状態でありかつ後述する特殊抽選状態移行フラグが成立していない場合に、抽選状態を特殊抽選状態へ移行させるか否かを特殊抽選状態移行抽選により決定する。
具体的には、特殊抽選状態移行決定手段150は、通常状態において役抽選によりベル役に当選した場合（所定の契機）に、実行抽選の抽選状態が通常抽選状態でありかつ特殊抽選状態移行フラグが成立していないときには、図１１（Ａ）に示すベル移行抽選データテーブルを参照して特殊抽選状態移行抽選の抽選確率を取得し、取得した抽選確率で特殊抽選状態移行抽選を行い、特殊抽選状態移行抽選の結果が当選の場合に、抽選状態を特殊抽選状態へ移行させることを決定する。同様に、特殊抽選状態移行決定手段150は、通常状態において役抽選によりチェリー役に当選した場合（所定の契機）に、実行抽選の抽選状態が通常抽選状態でありかつ特殊抽選状態移行フラグが成立していないときには、図１１（Ｂ）に示すチェリー移行抽選データテーブルを参照して特殊抽選状態移行抽選の抽選確率を取得し、取得した抽選確率で特殊抽選状態移行抽選を行い、特殊抽選状態移行抽選の結果が当選の場合に、抽選状態を特殊抽選状態へ移行させることを決定する。また同様に、特殊抽選状態移行決定手段150は、通常状態において役抽選によりベル役及びチェリー役のうちのいずれの役にも当選しなかった（ハズレを含む）場合（所定の契機）に、実行抽選の抽選状態が通常抽選状態でありかつ特殊抽選状態移行フラグが成立していないときには、図１１（Ｃ）に示す一般移行抽選データテーブルを参照して特殊抽選状態移行抽選の抽選確率を取得し、取得した抽選確率で特殊抽選状態移行抽選を行い、特殊抽選状態移行抽選の結果が当選の場合に、抽選状態を特殊抽選状態へ移行させることを決定する。
【００７２】
また、本実施の形態では、特殊抽選状態移行決定手段150は、実行抽選の抽選状態を特殊抽選状態へ移行させることを決定した場合には、実行抽選の抽選状態を特殊抽選状態へ移行させることが決定されていることを示す特殊抽選状態移行フラグを遊技制御装置21のＲＡＭにおける所定の記憶領域に成立させる。
また、本実施の形態では、特殊抽選状態移行決定手段150は、実行抽選の抽選状態が特殊抽選状態へ移行した場合に、成立している特殊抽選状態移行フラグを消去する。
（禁止区間設定手段155）
禁止区間設定手段155は、実行抽選及びフリーズ演出の実行を禁止する禁止区間と、実行抽選の実行を禁止する実行抽選禁止区間とを設定又は解除するものである。本実施の形態では、遊技制御装置21には、禁止区間及び実行抽選禁止区間を管理するための管理フラグが設けられており、禁止区間設定手段155は、この管理フラグを成立又は消去することにより、禁止区間設定手段155は、禁止区間又は実行抽選禁止区間を設定又は解除する。また、本実施の形態では、管理フラグとしては、禁止区間を管理するための禁止フラグと、実行抽選禁止区間を管理するための実行抽選禁止フラグとがある。すなわち、禁止フラグが成立している状態が禁止区間であり、また、実行抽選禁止フラグが成立している状態が実行抽選禁止区間であり、また、禁止フラグ及び実行抽選禁止フラグのいずれもが成立していない状態が、実行抽選及びフリーズ演出の実行が可能な許可区間である。
【００７３】
そして、本実施の形態では、禁止区間設定手段155は、図１２に示すように、ボーナス遊技が終了したときに、実行抽選及びフリーズ演出の実行を禁止することを示す禁止フラグを遊技制御装置21のＲＡＭにおける所定の記憶領域に成立させる。これにより、禁止区間設定手段155は、禁止区間を設定する。そして、禁止区間設定手段155は、禁止区間中に役抽選によりリプレイＡＢ役又はリプレイＡＢＣ役に初めて当選したことを契機に、禁止フラグを消去する。これにより、禁止区間設定手段155は、禁止区間を解除する。なお、このときの遊技状態は、通常状態である。
そして、禁止区間中にリプレイＡＢ役又はリプレイＡＢＣ役に初めて当選して禁止区間が解除されると、図１２に示すように、実行抽選及びフリーズ演出の実行が可能な許可区間となる。この許可区間において、後述する遊技制御装置演出決定手段160による実行抽選によりいずれかのシナリオ演出を実行することが決定されると、禁止区間設定手段155は、実行抽選の実行を禁止することを示す実行抽選禁止フラグを遊技制御装置21のＲＡＭにおける所定の記憶領域に設定する。これにより、禁止区間設定手段155は、実行抽選禁止区間を設定する。そして、遊技制御装置演出決定手段160により決定されたシナリオ演出が遊技制御装置演出実行手段170により実行されて、当該シナリオ演出が終了したときに、禁止区間設定手段155は、実行抽選禁止フラグを消去する。これにより、禁止区間設定手段155は、実行抽選禁止区間を解除する。すなわち、本実施の形態では、シナリオ演出中を、実行抽選禁止区間としている。ここで、「シナリオ演出中」とは、図８に示すシナリオテーブルにおける「いずれのフリーズ演出も実行しない」ことも含むものである。たとえば、図８に示すシナリオテーブル２では、「１回」〜「４回」のそれぞれの遊技回数に対応付けられていずれのフリーズ演出も実行しないことが規定されている。したがって、たとえば、シナリオテーブル２を選択した場合には、当該遊技から４回の遊技回数が経過するまでの間が「シナリオ演出中」である。
【００７４】
そして、シナリオ演出が終了して実行抽選禁止区間が解除されると、図１２に示すように、原則として、許可区間となるが、シナリオ演出７又はシナリオ演出８が終了した場合には、禁止区間設定手段155は、遊技制御装置21のＲＡＭにおける所定の記憶領域に禁止フラグを成立させ、禁止区間を設定する。
またここで、シナリオ演出が終了した場合に、このシナリオ演出が、実行抽選の抽選状態が通常抽選状態である場合に後述する特殊抽選状態移行フラグが成立されてから２回目以降に実行されたシナリオ演出であって、シナリオ演出２〜シナリオ演出６のうちのいずれかである場合には、後述するように、実行抽選の抽選状態が特殊抽選状態へ移行する。この場合においてもこのシナリオ演出が終了して実行抽選禁止区間が解除されると、図１２に示すように、許可区間となる。
【００７５】
そして、図１２に示すように、実行抽選の抽選状態が特殊抽選状態でかつ許可区間中に、遊技制御装置演出実行手段170により２秒フリーズＡ、４秒フリーズＡ、６秒フリーズＡ、８秒フリーズ又は７０秒フリーズが実行されると、禁止区間設定手段155は、遊技制御装置21のＲＡＭにおける所定の記憶領域に実行抽選禁止フラグを成立させ、実行抽選禁止区間を設定する。そして、禁止区間設定手段155は、この禁止区間中に、所定の遊技回数（本実施の形態では６回）が経過したときに、実行抽選禁止フラグを消去して、実行抽選禁止区間を解除する。
また、後述するように、特殊抽選状態は、遊技制御装置演出決定手段160により２秒フリーズＡ、４秒フリーズＡ、６秒フリーズＡ、８秒フリーズ又は７０秒フリーズを実行することが決定されることなく所定の遊技回数（本実施の形態では３２回）が経過すると、終了する。そして、この所定の遊技回数の経過により特殊抽選状態が終了すると、図１２に示すように、禁止区間設定手段155は、遊技制御装置21のＲＡＭにおける所定の記憶領域に禁止フラグを成立させ、禁止区間を設定する。
【００７６】
また、禁止区間設定手段155は、図１２に示すように、遊技状態が通常状態で実行抽選の抽選状態が通常抽選状態でかつ実行抽選禁止区間中又は許可区間中である場合に、リプレイＢ役を構成する図柄の組み合わせが有効入賞ライン上に停止表示されたことを契機に、遊技制御装置21のＲＡＭにおける所定の記憶領域に禁止フラグを成立させ、禁止区間を設定する。なお、このとき実行抽選禁止区間が設定されていたときには、その実行抽選禁止区間は解除される。すなわち、本実施の形態では、実行抽選の抽選状態が通常抽選状態である場合に、遊技状態が通常状態からＲＴ状態へ移行すると、禁止区間となる。そして、上述の如く、ＲＴ状態では、リプレイＢＣ役及びリプレイＡＢＣ役は、役抽選の抽選対象に設定されていないので、遊技状態がＲＴ状態である遊技中は、原則として、禁止区間となる。また、ＲＴ状態においてリプレイＣ役を構成する図柄の組み合わせが有効入賞ライン上に停止表示されて遊技状態が通常状態へ移行すると、リプレイＡＢ役及びリプレイＡＢＣ役が役抽選の抽選対象となり、リプレイＡＢ役又はリプレイＡＢＣ役に当選すると、禁止区間設定手段155は、禁止区間を解除する。禁止区間が解除されると、許可区間となる。なお、本実施の形態では、実行抽選の抽選状態が特殊抽選状態である場合に、遊技状態が通常状態からＲＴ状態へ移行しても、禁止区間とはならない。
【００７７】
また、本実施の形態では、禁止区間中にリプレイＡＢ役又はリプレイＡＢＣ役に初めて当選すると、それを契機としてこの禁止区間は解除されて終了するものであるが、禁止区間の終了の契機としてはこれに限られるものではない。禁止区間の終了の契機としては、たとえば、リプレイＡＢ役及びリプレイＡＢＣ役以外の役の当選としてもよいし、また、たとえば、ハズレを含む所定の図柄の組み合わせが有効入賞ライン上に初めて停止表示されたこととしてもよい。
なお、禁止区間設定手段155は、遊技状態が内部中状態又はボーナス状態である遊技中を、禁止区間に設定するようにしてもよい。
【００７８】
（遊技制御装置演出決定手段160）
遊技制御装置演出決定手段160は、遊技状態が通常状態である場合に、複数の遊技制御装置演出のうちから実行する遊技制御装置演出を実行抽選により決定するものである。本実施の形態では、遊技制御装置演出決定手段160は、通常状態において、実行抽選の抽選状態が通常抽選状態でありかつ実行抽選禁止区間中又は禁止区間中でない、すなわち許可区間中である場合に、複数のシナリオ演出のうちから実行するシナリオ演出を実行抽選により決定する。
具体的には、遊技制御装置演出決定手段160は、通常状態において役抽選によりベル役に単独当選した場合に、実行抽選の抽選状態が通常抽選状態でありかつ許可区間中であるときには、図９（Ａ）に示すベル実行抽選データテーブルを参照して、特殊抽選状態移行フラグが成立しているか否かに応じた実行抽選の抽選確率を取得し、取得した抽選確率で実行抽選を行い、シナリオテーブル２〜シナリオテーブル５のうちのいずれかのシナリオテーブルを選択し、実行するシナリオ演出を決定する。同様に、遊技制御装置演出決定手段160は、通常状態において役抽選によりチェリー役に単独当選した場合に、実行抽選の抽選状態が通常抽選状態でありかつ許可区間中であるときには、図９（Ｂ）に示すチェリー実行抽選データテーブルを参照して実行抽選を行い、シナリオテーブル２〜シナリオテーブル８のうちのいずれかのシナリオテーブルを選択し、実行するシナリオ演出を決定する。また同様に、遊技制御装置演出決定手段160は、通常状態において役抽選によりボーナス役、ベル役及びチェリー役のうちのいずれの役にも当選しなかった（ハズレを含む）場合に、実行抽選の抽選状態が通常抽選状態でありかつ許可区間中であるときには、図９（Ｃ）に示す一般実行抽選データテーブルを参照して実行抽選を行い、シナリオテーブル１及びシナリオテーブル２のうちのいずれかのシナリオテーブルを選択し、実行するシナリオ演出を決定する。
【００７９】
また、本実施の形態では、遊技制御装置演出決定手段160は、通常状態において役抽選によりボーナス役に当選した場合に、実行抽選の抽選状態が通常抽選状態でありかつ許可区間中であるときには、所定の抽選確率で実行抽選を行い、シナリオテーブル１〜シナリオテーブル６のうちのいずれかのシナリオテーブルを選択し、実行するシナリオ演出を決定する。
また、本実施の形態では、遊技制御装置演出決定手段160は、通常状態において、実行抽選の抽選状態が通常抽選状態でありかつシナリオ演出中（すなわち実行抽選禁止区間中）であるときには、選択したシナリオテーブルを参照して、実行するフリーズ演出を決定する。
【００８０】
また、本実施の形態では、遊技制御装置演出決定手段160は、通常状態において、実行抽選の抽選状態が特殊抽選状態である場合に、複数のフリーズ演出のうちから実行するフリーズ演出を実行抽選により決定する。
具体的には、遊技制御装置演出決定手段160は、通常状態において役抽選によりボーナス役に当選した場合に、実行抽選の抽選状態が特殊抽選状態であるときには、図１０（Ａ）に示すボーナス特殊実行抽選データテーブルを参照して実行抽選の抽選確率を取得し、取得した抽選確率で実行抽選を行い、７０秒フリーズを実行することを決定する。なお、この場合には、実行抽選を行うことなく、７０秒フリーズを実行することを決定するようにしてもよい。同様に、遊技制御装置演出決定手段160は、通常状態において役抽選によりボーナス役に当選しなかった場合に、実行抽選の抽選状態が特殊抽選状態であるときには、図１０（Ｂ）に示す一般特殊実行抽選データテーブルを参照して実行抽選の抽選確率を取得し、取得した抽選確率で実行抽選を行い、２秒フリーズＡ、２秒フリーズＢ、４秒フリーズＡ、４秒フリーズＢ、６秒フリーズＡ、６秒フリーズＢ及び８秒フリーズのうちのいずれかを実行するか否かを決定する。
【００８１】
なお、遊技制御装置演出決定手段160は、通常状態において、実行抽選の抽選状態が特殊抽選状態であるときには、特殊抽選状態が終了するまで毎遊技、実行抽選を行う。
またなお、上述の如く、実行抽選の抽選状態が特殊抽選状態である場合は、許可区間となっている。
また、本実施の形態では、遊技制御装置演出決定手段160は、いずれかのシナリオテーブルを選択した場合には、その旨を演出制御装置22に送信する。
また、本実施の形態では、遊技制御装置演出決定手段160は、実行抽選の抽選状態が通常抽選状態である場合に、特殊抽選状態移行決定手段150により特殊抽選状態移行フラグが成立されてから２回目以降に選択するシナリオテーブルであって、シナリオテーブル２〜シナリオテーブル６のうちのいずれかのシナリオテーブルを選択したときには、その旨に併せて特殊抽選状態移行フラグが成立している旨を演出制御装置22に送信する。具体的には、遊技制御装置演出決定手段160は、選択したシナリオテーブルを示すコマンドに、特殊抽選状態移行フラグが成立している旨を示す所定の演算を行い、その演算後のコマンドを演出制御装置22に送信する。たとえば、遊技制御装置演出決定手段160は、選択したシナリオテーブルを示すコマンドに、所定値（たとえば「４０Ｈ」＝「０１００００００Ｂ」）を加算し、その演算後のコマンドを演出制御装置22に送信することができる。また、たとえば、遊技制御装置演出決定手段160は、選択したシナリオテーブルを示すコマンド中の所定の一又は複数のビットデータの値を変更し、その変更後のコマンドを演出制御装置22に送信することができる。
【００８２】
ここで、「シナリオテーブルの選択が、特殊抽選状態移行フラグが成立されてから２回目以降」であるか否かの判断は、たとえば、特殊抽選状態移行フラグが成立している場合に、特殊抽選状態移行決定手段150による特殊抽選状態移行抽選が行われたか否かにより判断することができる。すなわち、本実施の形態では、特殊抽選状態移行フラグが成立している場合には、特殊抽選状態移行抽選は行われない。したがって、特殊抽選状態移行フラグが成立しており、特殊抽選状態移行決定手段150による特殊抽選状態移行抽選が行われなかった場合に、「シナリオテーブルの選択が、特殊抽選状態移行フラグが成立されてから２回目以降」であると判断することができる。なお、特殊抽選状態移行抽選が行われて、この抽選の結果、特殊抽選状態移行フラグが成立した場合には、「シナリオテーブルの選択が、特殊抽選状態移行フラグが成立されてから１回目」であると判断することができる。
【００８３】
また、たとえば、特殊抽選状態移行フラグが成立されてから１回目にシナリオテーブルを選択したときに、シナリオテーブルを１回選択したことを記憶しておくための記憶フラグを成立させ、この記憶フラグの有無により、「シナリオテーブルの選択が、特殊抽選状態移行フラグが成立されてから２回目以降」であるか否か判断することができる。
また、本実施の形態では、遊技制御装置演出決定手段160は、いずれかのフリーズ演出を実行することを決定した場合には、その旨を演出制御装置22に送信する。たとえば、遊技制御装置演出決定手段160は、Ｓフリーズを実行することを決定した場合には、Ｓフリーズを実行する旨を演出制御装置22に送信する。
【００８４】
また、本実施の形態では、遊技制御装置演出決定手段160は、禁止区間中又は実行抽選禁止区間中においては、実行抽選を行わない。すなわち、遊技制御装置演出決定手段160は、禁止区間中又は実行抽選禁止区間中においては、実行するシナリオ演出又はフリーズ演出を決定しない。
（遊技制御装置演出実行手段170）
遊技制御装置演出実行手段170は、遊技制御装置演出決定手段160により決定されたフリーズ演出を実行するものである。本実施の形態では、遊技制御装置演出実行手段170は、遊技制御装置演出決定手段160によりいずれかのフリーズ演出を実行することが決定された場合に、フリーズ演出データテーブルを参照して、決定されたフリーズ演出の演出データ（遅延時間）を取得し、取得した演出データ（遅延時間）に基づいて、フリーズ演出を実行する。たとえば、遊技制御装置演出実行手段170は、シナリオ演出中に、遊技制御装置演出決定手段160によりＳフリーズを実行することが決定された場合には、フリーズ演出データテーブルを参照して、Ｓフリーズの遅延時間を取得し、取得した遅延時間に基づいて、Ｓフリーズを実行する。また、たとえば、遊技制御装置演出実行手段170は、実行抽選の抽選状態が特殊抽選状態である場合に、遊技制御装置演出決定手段160により２秒フリーズＡを実行することが決定された場合には、フリーズ演出データテーブルを参照して、２秒フリーズＡの遅延時間を取得し、取得した遅延時間に基づいて、２秒フリーズＡを実行する。
【００８５】
また、本実施の形態では、遊技制御装置演出実行手段170は、遊技状態が通常状態でかつシナリオ演出中に、リプレイＢ役を構成する図柄の組み合わせが有効入賞ライン上に停止表示されて禁止区間に属することとなる場合には、実行中のシナリオ演出を中止して終了する。
また、本実施の形態では、遊技制御装置演出実行手段170は、遅延時間を計時する計時手段を備えている。そして、遊技制御装置演出実行手段170は、遊技制御装置演出決定手段160によりいずれかのフリーズ演出を実行することが決定された場合に、決定されたフリーズ演出の演出データ（遅延時間）を取得したときに、遅延時間の計時を開始する。
【００８６】
また、本実施の形態では、遊技制御装置演出実行手段170は、遊技制御装置演出決定手段160により実行することが決定されたフリーズ演出の演出データ（遅延時間）を取得したときに、回転制御手段110による、３個すべての回転リール45の回転を開始させる処理を一旦保留する。そして、遊技制御装置演出実行手段170は、計時手段により計時される計時時間が取得した遅延時間に達したことを契機に、保留を解除し、保留した当該処理を回転制御手段110に開始させる。これにより、スタートスイッチ33が操作されてから全ての回転リール45が所定の定常速度に達して定速回転するまでの時間が、通常の遊技の進行よりも遅れることとなり、遊技の進行が遅延することとなる。
【００８７】
（抽選状態移行制御手段180）
抽選状態移行制御手段180は、複数の抽選状態の間で実行抽選の抽選状態を移行させるものである。上述の如く、本実施の形態では、実行抽選の抽選状態として、通常抽選状態と特殊抽選状態とを備えている。なお、抽選状態としてはこれに限られるものではない。
そして、本実施の形態では、抽選状態移行制御手段180は、遊技状態が通常状態で、実行抽選の抽選状態が通常抽選状態で、かつ特殊抽選状態移行決定手段150により特殊抽選状態移行フラグが成立されてから２回目以降に実行されたシナリオ演出であって、シナリオ演出２〜シナリオ演出６のうちのいずれかが終了した場合（所定の条件が成立した場合）に、特殊抽選状態移行フラグが成立しているとき（特殊抽選状態移行決定手段150により実行抽選の抽選状態を特殊抽選状態へ移行させることが決定されている状態）に、抽選状態を特殊抽選状態へ移行させる。
【００８８】
また、抽選状態移行制御手段180は、遊技状態が通常状態で実行抽選の抽選状態が通常抽選状態で、かつ特殊抽選状態移行フラグが成立している状態（特殊抽選状態移行決定手段150により実行抽選の抽選状態を特殊抽選状態へ移行させることが決定されている状態）で、特殊抽選状態移行決定手段150により特殊抽選状態移行フラグが成立されてから２回目以降に実行されたシナリオ演出であって、シナリオ演出２〜シナリオ演出６のうちのいずれかが終了するまでの間（所定の条件が成立までの間）に、リプレイＢ役を構成する図柄の組み合わせが有効入賞ライン上に停止表示されて（特定の移行条件が成立して）禁止区間に属することとなる場合には、特殊抽選状態移行フラグを消去する。これにより、本実施の形態では、抽選状態移行制御手段180は、実行抽選の抽選状態を特殊抽選状態へ移行させることの決定を取り消して、実行抽選の抽選状態を特殊抽選状態へ移行させないようにする。
【００８９】
ここで、「特殊抽選状態移行フラグが成立されてから２回目以降に実行されたシナリオ演出」とは、特殊抽選状態移行決定手段150により実行抽選の抽選状態を特殊抽選状態へ移行させることが決定された（特殊抽選状態移行フラグが成立された）際に実行されたシナリオ演出の次以降に実行されたシナリオ演出を意味するものである。
また、上述の如く、図９（Ｃ）に示すように、通常状態において役抽選によりベル役及びチェリー役のうちのいずれの役にも当選しなかった（ハズレを含む）場合に、実行抽選の抽選状態が通常抽選状態であり特殊抽選状態移行フラグが成立しているときには、遊技制御装置演出実行手段170によりシナリオテーブル１が９０．０％の確率で選択されるものとなっている。したがって、「シナリオ演出２〜シナリオ演出６のうちのいずれかが終了した場合に、抽選状態を特殊抽選状態へ移行させる」とは、遊技制御装置演出実行手段170によりシナリオテーブル１が選択されて、シナリオ演出１が終了した場合には、抽選状態を特殊抽選状態へ移行させないことを意味するものである。
【００９０】
また、本実施の形態では、抽選状態移行制御手段180は、実行抽選の抽選状態が特殊抽選状態である場合に、遊技制御装置演出決定手段160により２秒フリーズＡ、４秒フリーズＡ、６秒フリーズＡ、８秒フリーズ若しくは７０秒フリーズを実行することが決定されたとき、又は実行抽選の抽選状態が特殊抽選状態である場合に、遊技制御装置演出決定手段160により２秒フリーズＡ、４秒フリーズＡ、６秒フリーズＡ、８秒フリーズ若しくは７０秒フリーズを実行することが決定されることなく所定の遊技回数（本実施の形態では３２回）が経過したときに、抽選状態を通常抽選状態へ移行させる。
（演出制御手段230）
演出制御手段230は、表示装置55や演出用ランプ17やスピーカを制御して、役抽選の結果や、遊技の進行に応じて遊技の演出を制御するものである。本実施の形態では、演出制御装置22は、演出状態として、通常演出状態と、ＡＴ状態（特別演出状態）とを備えている。なお、演出状態としてはこれに限られるものではない。そして、演出制御手段230は、各演出状態において、表示装置55に特定の画像を表示させたり、演出用ランプ17を点灯又は点滅させたり、スピーカから所定の音を出力させたりすることにより、遊技を盛り上げる演出を実行する。たとえば、演出制御手段230は、遊技状態がボーナス状態でかつ演出状態が通常演出状態である場合に、ボーナス遊技を盛り上げる演出を実行する。また、通常演出状態は、通常の演出状態である。また、ＡＴ状態は、役抽選の結果に関する情報を遊技者に対して報知する報知演出を実行する状態である。役抽選の結果に関する情報（報知の内容）としては、当選した役の情報や、当選した役を有効入賞ライン上に停止表示させるためのストップスイッチ34の操作順序（押し順）などがある。
【００９１】
遊技者は、たとえば当選した小役が報知されると、当選した小役を構成する図柄の組み合わせがいずれかの有効入賞ライン上に停止するようタイミングを図ってストップスイッチ34を操作することにより、報知がない場合と比較してより多くの小役を構成する図柄の組み合わせを有効入賞ライン上に停止表示させることができ、ひいてはより多くの枚数のメダルを獲得することができる。このため、演出状態がＡＴ状態である遊技は、通常遊技（遊技状態が通常状態でかつ演出状態が通常演出状態である遊技）よりも遊技者にとって有利な遊技となっている。特に本実施の形態では、役抽選により赤７プラム役、青７プラム役又はＢＡＲプラム役に当選した場合に、当選した役を遊技者に対して報知することにより、演出状態がＡＴ状態である遊技は、遊技者にとって通常遊技よりも有利な遊技となっている。そして、このような遊技は、ＡＴ（アシストタイム）遊技などと呼ばれるものである。なお、ＡＴ遊技とＲＴ遊技とを同時に実行する遊技は、ＡＲＴ（アシストリプレイタイム）遊技などと呼ばれるものである。
【００９２】
そして、演出制御手段230は、図３に示すように、演出データ記憶手段190と、モード決定手段200と、ＡＴ状態切替決定手段210と、演出状態切替制御手段220と、ＡＲＴ遊技セット数決定手段225と、演出実行手段240と、不利益付与手段250とを備えている。
（演出データ記憶手段190）
演出データ記憶手段190は、実行する演出の演出データ及び演出パターンなどを記憶するものである。演出データとしては、表示装置55に表示するための画像データ、及びスピーカから発するためのサウンドデータなどがある。
また、演出パターンは、遊技の進行に伴って、どのようなタイミング（たとえば、スタートスイッチ33の操作時や各ストップスイッチ34の操作時など）で、どのような演出を実行するか（たとえば、演出用ランプ17をどのように点灯、点滅又は消灯させるか、スピーカからどのようなサウンドを発するか、及び表示装置55にどのような画像を表示させるか等）を定めたものである。本実施の形態では、役抽選の結果に応じて、それぞれ複数種類の演出パターンが設けられている。
【００９３】
また、本実施の形態では、演出データ記憶手段190は、後述する、演出状態をＡＴ状態に切り替えることを決定するための抽選（以下、「ＡＴ抽選」とする。）の抽選確率が規定されたＡＴ抽選データテーブルを記憶している。具体的には、演出データ記憶手段190は、図１３に示すように、ＡＴ抽選データテーブルとして、後述する低確率モードにおいて参照される低確率ＡＴ抽選データテーブルと、後述する高確率モードにおいて参照される高確率ＡＴ抽選データテーブルと、７０秒フリーズが実行される場合に参照される確定ＡＴ抽選データテーブルと、シナリオ演出７が実行される場合に参照される特定ＡＴ抽選データテーブルとを記憶している。
【００９４】
低確率ＡＴ抽選データテーブル及び高確率ＡＴ抽選データテーブルのそれぞれには、図１３（Ａ）及び（Ｂ）に示すように、２秒フリーズＡ、４秒フリーズＡ、６秒フリーズＡ及び８秒フリーズのそれぞれに対応付けられてＡＴ抽選の抽選確率が規定されている。たとえば、低確率ＡＴ抽選データテーブルには、２秒フリーズＡに対応付けられて、当選確率が２０．０％でかつハズレの確率が８０．０の抽選確率が規定され、また、たとえば、高確率ＡＴ抽選データテーブルには、２秒フリーズＡに対応付けられて、当選確率が４０．０％でかつハズレの確率が６０．０の抽選確率が規定されている。
また、確定ＡＴ抽選データテーブルには、図１３（Ｃ）に示すように、７０秒フリーズに対応付けられて、当選確率が１００．０％でかつハズレの確率が０．０の抽選確率が規定されている。また、特定ＡＴ抽選データテーブルには、図１３（Ｄ）に示すように、シナリオ演出７に対応付けられて、当選確率が９０．０％でかつハズレの確率が１０．０の抽選確率が規定されている。
【００９５】
また、本実施の形態では、各ＡＴ抽選データテーブルにおける各抽選確率は、生成した乱数の判定に用いる値数として各テーブルに規定されている。
なお、低確率ＡＴ抽選データテーブルは、１つに限られず、少なくとも一部の抽選確率が異なるテーブルを複数設けるようにしてもよい。また同様に、高確率ＡＴ抽選データテーブル、確定ＡＴ抽選データテーブル及び特定ＡＴ抽選データテーブルについても、１つに限られず、複数としてもよい。
（モード決定手段200）
モード決定手段200は、ＡＴ抽選に関する複数のモードのうちからモードを決定するものである。本実施の形態では、ＡＴ抽選に関するモードとして、低確率モードと、高確率モードとを備えている。なお、モードの種類としてはこれに限られるものではない。
【００９６】
上述の如く、低確率モードでは低確率ＡＴ抽選データテーブルが参照され、また、高確率モードでは高確率ＡＴ抽選データテーブルが参照される。そして、低確率ＡＴ抽選データテーブルよりも高確率ＡＴ抽選データテーブル方が、同一のフリーズ演出に対するＡＴ抽選の当選確率が高く設定されている。このため、本実施の形態では、低確率モードよりも高確率モードの方が遊技者にとって有利なモードとなっている。
そして、本実施の形態では、モード決定手段200は、遊技制御装置21から送信された、特殊抽選状態移行フラグが成立している旨を受信した場合に、低確率モード及び高確率モードのうちからモードを抽選により決定する。
【００９７】
（ＡＴ状態切替決定手段210）
ＡＴ状態切替決定手段210は、演出状態をＡＴ状態に切り替えることを決定するものである。本実施の形態では、ＡＴ状態切替決定手段210は、遊技制御装置演出実行手段170により実行される演出がシナリオ演出８である場合に、後述するペナルティ期間中でないときに、演出状態をＡＴ状態に切り替えることを決定する。
また、本実施の形態では、ＡＴ状態切替決定手段210は、遊技制御装置演出実行手段170により実行される演出がシナリオ演出７である場合に、後述するペナルティ期間中でないときに、図１３（Ｄ）に示す特定ＡＴ抽選データテーブルを参照してＡＴ抽選の抽選確率を取得し、取得した抽選確率でＡＴ抽選を行い、ＡＴ抽選の結果が当選の場合に、演出状態をＡＴ状態に切り替えることを決定する。
【００９８】
また、本実施の形態では、ＡＴ状態切替決定手段210は、遊技制御装置演出実行手段170により実行されるフリーズ演出が２秒フリーズＡ、４秒フリーズＡ、６秒フリーズＡ又は８秒フリーズである場合に、後述するペナルティ期間中でないときに、モード決定手段200により決定された現在のモードに基づいてＡＴ抽選データテーブルを参照して、実行されるフリーズ演出に基づいてＡＴ抽選の抽選確率を取得し、取得した抽選確率でＡＴ抽選を行い、ＡＴ抽選の結果が当選の場合に、演出状態をＡＴ状態に切り替えることを決定する。たとえば、ＡＴ状態切替決定手段210は、遊技制御装置演出実行手段170により実行されるフリーズ演出が２秒フリーズＡでありかつ現在のモードが低確率モードである場合に、後述するペナルティ期間中でないときには、図１３（Ａ）に示す低確率ＡＴ抽選データテーブルを参照して、２秒フリーズＡに対応付けられている当選確率が２０．０％でかつハズレの確率が８０．０％の抽選確率を取得し、取得した抽選確率でＡＴ抽選を行い、ＡＴ抽選の結果が当選の場合に、演出状態をＡＴ状態に切り替えることを決定する。
【００９９】
また、本実施の形態では、ＡＴ状態切替決定手段210は、遊技制御装置演出実行手段170により実行されるフリーズ演出が７０秒フリーズである場合に、後述するペナルティ期間中でないときに、確定ＡＴ抽選データテーブルを参照してＡＴ抽選の抽選確率を取得し、取得した抽選確率でＡＴ抽選を行い、ＡＴ抽選の結果が当選の場合に、演出状態をＡＴ状態に切り替えることを決定する。なお、本実施の形態では、この場合には、図１３（Ｃ）に示すように、当選確率が１００．０％に規定されているので、ＡＴ状態切替決定手段210は、必ず、演出状態をＡＴ状態に切り替えることを決定する。したがって、この場合では、ＡＴ状態切替決定手段210は、ＡＴ抽選を行うことなく、演出状態をＡＴ状態に切り替えることを決定するようにしてもよい。
【０１００】
また、本実施の形態では、ＡＴ状態切替決定手段210は、遊技制御装置演出実行手段170により実行されるフリーズ演出が２秒フリーズＢ、４秒フリーズＢ又は６秒フリーズＢである場合には、ＡＴ抽選を行わないとともに、演出状態をＡＴ状態に切り替えることを決定しない。すなわち、本実施の形態では、遊技制御装置演出実行手段170により実行されるフリーズ演出が２秒フリーズＡ、４秒フリーズＡ、６秒フリーズＡ又は８秒フリーズである場合には、ＡＴ抽選が行われて、演出状態をＡＴ状態に切り替えることが決定される可能性があるが、実行されるフリーズ演出が２秒フリーズＢ、４秒フリーズＢ又は６秒フリーズＢである場合には、ＡＴ抽選が行われず、演出状態をＡＴ状態に切り替えることが決定されることはない。
【０１０１】
また、本実施の形態では、ＡＴ状態切替決定手段210は、後述するペナルティ期間中は、ＡＴ抽選を行わない。すなわち、ペナルティ期間中に、シナリオ演出７又はシナリオ演出８や、２秒フリーズＡなどのフリーズ演出が実行されても、演出状態をＡＴ状態に切り替えることが決定されることはない。
（演出状態切替制御手段220）
演出状態切替制御手段220は、複数の演出状態の間で演出状態を切り替える制御を行うものである。本実施の形態では、演出制御装置22には、ＡＴ状態を管理するためのＡＴ状態フラグが設けられており、演出状態切替制御手段220は、このＡＴ状態フラグを成立又は消去することにより、演出状態を切り替える制御を行っている。すなわち、ＡＴ状態フラグが成立している状態がＡＴ状態であり、また、ＡＴ状態フラグが成立していない状態が通常演出状態である。
【０１０２】
そして、本実施の形態では、演出状態切替制御手段220は、遊技状態がボーナス状態である場合には、演出状態を通常演出状態に設定する。また、演出状態切替制御手段220は、遊技状態が通常状態である場合には、原則として、演出状態を通常演出状態に設定する。
また、本実施の形態では、演出状態切替制御手段220は、ＡＴ状態切替決定手段210により演出状態をＡＴ状態に切り替えることが決定された場合に、この決定から所定の遊技回数が経過したときに、ボーナス当選フラグが成立していないことを条件として、ＡＴ状態フラグを所定の記憶領域に成立させ、演出状態をＡＴ状態に設定する。
【０１０３】
ここで、「この決定から所定の遊技回数が経過したとき」とは、たとえば、７回の遊技回数にわたって実行されるシナリオ演出７が実行される場合にＡＴ状態切替決定手段210により演出状態をＡＴ状態に切り替えることが決定されたときには、このシナリオ演出７が終了するまでの７回の遊技回数が少なくとも経過したときを意味するものである。同様に、たとえば、１０回の遊技回数にわたって実行されるシナリオ演出８が実行される場合に、ＡＴ状態切替決定手段210により演出状態をＡＴ状態に切り替えることが決定されたときには、このシナリオ演出８が終了するまでの１０回の遊技回数が少なくとも経過したときを意味するものである。なお、演出状態切替制御手段220は、所定の遊技回数が経過したか否かを、以下のようにすることにより判断することができる。たとえば、シナリオ演出７又はシナリオ演出８に係る演出の遊技回数を演出データ記憶手段190に予め記憶させておくことにより、演出状態切替制御手段220は、所定の遊技回数が経過したか否かを判断することができる。また、たとえば、シナリオ演出７又はシナリオ演出８が終了するときに、シナリオ演出が終了する旨を遊技制御装置21が演出制御装置22へ送信することにより、演出状態切替制御手段220は、所定の遊技回数が経過したか否かを判断することができる。
【０１０４】
また、「この決定から所定の遊技回数が経過したとき」とは、たとえば、２秒フリーズＡ、４秒フリーズＡ、６秒フリーズＡ、８秒フリーズ又は７０秒フリーズが実行される場合にＡＴ状態切替決定手段210により演出状態をＡＴ状態に切り替えることが決定されたときには、このフリーズ演出の実行により禁止区間設定手段155により設定される実行抽選禁止区間と同一の遊技回数（本実施の形態では６回）が少なくとも経過したときを意味するものである。
なお、本実施の形態では、演出状態切替制御手段220は、ＡＴ状態切替決定手段210により演出状態をＡＴ状態に切り替えることが決定された際にボーナス当選フラグが成立しているとき、又はこの決定から所定の遊技回数が経過するまでの間にボーナス当選フラグが成立したときには、当該ボーナス当選フラグに対応するボーナス遊技が終了したときにＡＴ状態フラグを所定の記憶領域に成立させ、演出状態をＡＴ状態に設定する。
【０１０５】
また、本実施の形態では、演出状態切替制御手段220は、ＡＴ状態において、所定の遊技回数（本実施の形態では５０回）を１セットとして、１セットが終了する度に、後述するＡＲＴセット数カウンタのカウント値が「０」であるか否かの判定を行い、ＡＲＴセット数カウンタのカウント値が「０」であるときに、ＡＴ状態フラグを消去して、演出状態を通常演出状態に設定する。すなわち、本実施の形態では、ＡＲＴ遊技は、５０回の遊技を１セットとしている。
また、演出状態切替制御手段220は、演出状態がＡＴ状態でかつ遊技状態がＲＴ状態である遊技（ＡＲＴ遊技）において、リプレイＣ役を構成する図柄の組み合わせが有効入賞ライン上に停止表示され遊技状態が通常状態へ移行し、この通常状態において役抽選によりリプレイＡＢ役及びリプレイＡＢＣ役に当選した場合に、リプレイＢ役を構成する図柄の組み合わせが有効入賞ライン上に停止表示されなかったときに、ＡＴ状態フラグを消去して、演出状態を通常演出状態に設定する。ここで、「ＡＲＴ遊技において、リプレイＣ役を構成する図柄の組み合わせが有効入賞ライン上に停止表示され遊技状態が通常状態へ移行する」場合とは、遊技者が、後述する演出実行手段240によるリプレイＣ回避報知演出に従わずにストップスイッチ34の操作を行った場合である。また、「この通常状態において役抽選によりリプレイＡＢ役及びリプレイＡＢＣ役に当選した場合に、リプレイＢ役を構成する図柄の組み合わせが有効入賞ライン上に停止表示されなかったとき」とは、遊技者が、通常状態において後述する演出実行手段240によるリプレイＢ報知演出に従わずにストップスイッチ34の操作を行った場合である。すなわち、本実施の形態では、演出状態切替制御手段220は、ＡＲＴ遊技において、遊技者が少なくとも２回の報知に従わずにストップスイッチ34の操作を行った場合に、ＡＴ状態フラグを消去して、演出状態を通常演出状態に設定する。
【０１０６】
また同様に、演出状態切替制御手段220は、ＡＴ状態切替決定手段210により演出状態をＡＴ状態に切り替えることが決定され、演出状態がＡＴ状態となった場合における、演出状態がＡＴ状態でかつ遊技状態が通常状態である遊技（ＡＴ遊技）において、役抽選によりリプレイＡＢ役及びリプレイＡＢＣ役に当選した場合に、リプレイＢ役を構成する図柄の組み合わせが有効入賞ライン上に停止表示されなかったときに、ＡＴ状態フラグを消去して、演出状態を通常演出状態に設定する。
また、演出状態切替制御手段220は、演出状態がＡＴ状態である場合に、役抽選によりボーナス役に当選したときには、実行中のＡＴ遊技又はＡＲＴ遊技を中断して、当選したボーナス役に対応するボーナス遊技が終了した後に、中断したＡＴ遊技又はＡＲＴ遊技を再開する。なお、実行中のＡＴ遊技又はＡＲＴ遊技を中断したときには、ＡＴ状態の終了に係る遊技回数のカウント値などのＡＴ遊技又はＡＲＴ遊技に関する情報をリセットせずそのまま保持する。具体的には、演出状態切替制御手段220は、演出状態がＡＴ状態である場合に、役抽選によりボーナス役に当選したときには、成立しているＡＴ状態フラグを消去し、演出状態を通常演出状態に設定する。これにより、実行中のＡＴ遊技又はＡＲＴ遊技を中断する。なお、このとき、演出状態切替制御手段220は、ＡＴ遊技又はＡＲＴ遊技を中断したことを一時的に記憶する。そして、演出状態切替制御手段220は、当選したボーナス役に対応するボーナス遊技が終了した後に、ＡＴ状態フラグを所定の記憶領域に成立させ、演出状態をＡＴ状態に設定する。これにより、中断したＡＴ遊技又はＡＲＴ遊技を再開する。
【０１０７】
なお、ＡＴ状態の終了の契機としては、これに限られるものではなく、たとえば、役抽選により所定の役に当選したことを所定の回数報知したことを契機に、ＡＴ状態を終了するようにしてもよい。
（ＡＲＴ遊技セット数決定手段225）
ＡＲＴ遊技セット数決定手段225は、所定の遊技回数（本実施の形態では５０回）を１セットとして、ＡＲＴ遊技のセット数を決定するものである。本実施の形態では、ＡＲＴ遊技セット数決定手段225は、ＡＴ状態切替決定手段210により演出状態をＡＴ状態に切り替えることが決定されたときに、ＡＲＴ遊技のセット数を決定する。
【０１０８】
また、本実施の形態では、ＡＲＴ遊技セット数決定手段225は、決定したＡＲＴ遊技のセット数を記憶するＡＲＴ遊技セット数カウンタを備えている。このカウンタは、初期値として、「０」が設定されている。
そして、ＡＲＴ遊技セット数決定手段225は、決定したＡＲＴ遊技のセット数を、ＡＲＴ遊技セット数カウンタのカウント値に加算する。また、ＡＲＴ遊技セット数決定手段225は、１セットのＡＲＴ遊技が開始する度（又は終了する度）に、ＡＲＴ遊技セット数カウンタのカウント値から「１」を減算する。なお、上述の如く、ＡＲＴ遊技セット数カウンタのカウント値が「０」になると、ＡＴ状態フラグが消去され、演出状態が通常演出状態となり、ＡＲＴ遊技が終了する。
【０１０９】
また、本実施の形態では、ＡＲＴ遊技セット数決定手段225は、演出状態がＡＴ状態でかつ遊技状態がＲＴ状態である遊技（ＡＲＴ遊技）において、リプレイＣ役を構成する図柄の組み合わせが有効入賞ライン上に停止表示され遊技状態が通常状態へ移行し、この通常状態において役抽選によりリプレイＡＢ役及びリプレイＡＢＣ役に当選した場合に、リプレイＢ役を構成する図柄の組み合わせが有効入賞ライン上に停止表示されなかったときに、ＡＲＴ遊技セット数カウンタのカウント値を「０」にリセットする。すなわち、本実施の形態では、ＡＲＴ遊技において、上述の如く、遊技者が少なくとも２回の報知に従わずにストップスイッチ34の操作を行った場合には、ＡＲＴ遊技のセット数が残っていてもＡＲＴ遊技は終了する。
【０１１０】
（演出実行手段240）
演出実行手段240は、演出状態がＡＴ状態（特別演出状態）である場合に、役抽選の結果に関する情報を遊技者に報知する報知演出を実行するものである。本実施の形態では、演出実行手段240は、演出状態がＡＴ状態でかつ遊技状態が通常状態又はＲＴ状態である場合に、役抽選により赤７プラム役、青７プラム役又はＢＡＲプラム役に当選したときに、報知演出として、当選した役を遊技者に報知する小役報知演出を実行する。
また、本実施の形態では、演出実行手段240は、演出状態がＡＴ状態でかつ遊技状態が通常状態である場合に、役抽選によりリプレイＡＢ役又はリプレイＡＢＣ役（特定の重複当選領域）に当選したときに、報知演出として、リプレイＢ役を構成する図柄の組み合わせを有効入賞ライン上に停止表示させるためのストップスイッチ34の操作順序（特定の操作順序）を遊技者に報知するリプレイＢ報知演出（操作順序報知演出）を実行する。たとえば、演出実行手段240は、役抽選によりリプレイＡＢ役に当選した場合には、リプレイＢ報知演出として、中停止スイッチ57を最初に操作する順序を遊技者に報知する。そして、この報知に従ってストップスイッチ34を操作すると、リプレイＢ役を構成する図柄の組み合わせが有効入賞ライン上に停止表示され、上述の如く、遊技状態が通常状態からＲＴ状態へ移行される。
【０１１１】
また、演出実行手段240は、演出状態がＡＴ状態でかつ遊技状態がＲＴ状態である場合に、役抽選によりリプレイＢＣ役、リプレイＡＣ役又はリプレイＡＣＤ役に当選したときに、報知演出として、リプレイＡ役又はリプレイＢ役を構成する図柄の組み合わせを有効入賞ライン上に停止表示させるための、言い換えればリプレイＣ役を構成する図柄の組み合わせが有効入賞ライン上に停止表示されることを回避するためのストップスイッチ34の操作順序を遊技者に報知するリプレイＣ回避報知演出を実行する。たとえば、演出実行手段240は、役抽選によりリプレイＢＣ役に当選した場合には、リプレイＣ回避報知演出として、左停止スイッチ56又は右停止スイッチ58を最初に操作する順序を遊技者に報知する。そして、この報知に従ってストップスイッチ34を操作すると、リプレイＡ役又はリプレイＢ役を構成する図柄の組み合わせが有効入賞ライン上に停止表示され、上述の如く、遊技状態がＲＴ状態に維持される。
【０１１２】
なお、リプレイＢ報知演出及びリプレイＣ回避報知演出としては、ストップスイッチ34の操作順序を、１、２、３の数字や、左、中、右の文字で表示装置55に表示するものや、ストップスイッチ34の操作順序を、左、中、右の音声でスピーカから出力するものなどとすることができる。
また、本実施の形態では、演出実行手段240は、遊技制御装置21から送信された、シナリオテーブル２〜シナリオテーブル６のうちのいずれかのシナリオテーブルを選択した旨に併せて特殊抽選状態移行フラグが成立している旨を受信した場合に、当該シナリオ演出中において、実行抽選の抽選状態が特殊抽選状態へ移行することを遊技者に報知する演出を実行する。なお、演出実行手段240は、当該シナリオ演出中において、遊技状態が通常状態からＲＴ状態へ移行した場合には、実行抽選の抽選状態が特殊抽選状態へ移行することを遊技者に報知する演出を終了する。
【０１１３】
また、演出実行手段240は、特殊抽選状態移行フラグが成立していない状態で、通常状態において役抽選によりベル役又はチェリー役に単独当選した場合に、遊技制御装置21から送信された、所定のシナリオテーブルを選択した旨を受信した場合に、当該シナリオ演出中において、ボーナス役の当選を遊技者に期待させる演出を実行する。なお、この場合には、ボーナス役に当選はしていないので、ボーナス役に当選したことを遊技者に報知することはない。
また、本実施の形態では、演出実行手段240は、通常状態において、実行抽選の抽選状態が特殊抽選状態である場合に、現在の抽選状態が特殊抽選状態であることを遊技者に報知するとともに、現在のモードを遊技者に報知する演出を実行する。
【０１１４】
また、本実施の形態では、演出実行手段240は、遊技制御装置演出実行手段170により実行されるフリーズ演出が２秒フリーズＡ、４秒フリーズＡ、６秒フリーズＡ、８秒フリーズ又は７０秒フリーズである場合に、ＡＴ抽選の結果を遊技者に報知する報知演出を実行する。具体的には、演出実行手段240は、ＡＴ抽選の結果が当選の場合には、ＡＴ抽選で当選した旨、すなわち演出状態をＡＴ状態に切り替えることが決定された旨を遊技者に報知する報知演出を実行し、また、ＡＴ抽選の結果がハズレの場合には、ＡＴ抽選で当選しなかった旨を遊技者に報知する報知演出を実行する。また、演出実行手段240は、この報知演出を、物語性のある連続演出として所定の遊技回数（本実施の形態では６回）にわたって実行し、最後にＡＴ抽選の結果を遊技者に報知する。なお、この連続演出中は、禁止区間設定手段155により実行抽選禁止区間に設定されている。すなわち、演出実行手段240は、実行抽選禁止区間中に、この連続演出を実行する。
【０１１５】
一方、遊技制御装置演出実行手段170により実行されるフリーズ演出が２秒フリーズＢ、４秒フリーズＢ又は６秒フリーズＢである場合には、ＡＴ抽選が行われないので、演出実行手段240は、ＡＴ抽選の結果を遊技者に報知する報知演出を実行しない。なお、この場合には、ＡＴ抽選で当選しなかった旨を遊技者に報知する報知演出を実行するようにしてもよい。
また、演出実行手段240は、遊技制御装置演出実行手段170により実行される演出が２秒フリーズＡ、４秒フリーズＡ、６秒フリーズＡ、８秒フリーズ、７０秒フリーズ、シナリオ演出７又はシナリオ演出８である場合に、後述するペナルティ期間中であるときには、ＡＴ抽選で当選しなかった旨を遊技者に報知する報知演出を実行する。
【０１１６】
また、本実施の形態では、演出実行手段240は、遊技制御装置演出実行手段170により実行される演出がシナリオ演出７である場合に、当該シナリオ演出中において、ＡＴ抽選の結果を遊技者に報知する報知演出を実行する。
また、演出実行手段240は、遊技制御装置演出実行手段170により実行される演出がシナリオ演出８である場合に、当該シナリオ演出中において、演出状態をＡＴ状態に切り替えることが決定された旨を報知する報知演出を実行する。なお、演出実行手段240は、当該シナリオ演出７又はシナリオ演出８中において、リプレイＢ役を構成する図柄の組み合わせが有効入賞ライン上に停止表示されて遊技状態が通常状態からＲＴ状態へ移行する場合には、ＡＴ抽選の結果を遊技者に報知する報知演出又は演出状態をＡＴ状態に切り替えることが決定された旨を報知する報知演出を終了する。
【０１１７】
（不利益付与手段250）
不利益付与手段250は、遊技状態が通常状態でかつ演出実行手段240によりリプレイＢ報知演出（操作順序報知演出）が実行されていない場合に、中停止スイッチ57又は右停止スイッチ58を最初に操作する順序（特定の操作順序）でストップスイッチ34の操作が行われたときに、所定の不利益を遊技者に付与するものである。
本実施の形態では、不利益付与手段250は、演出状態が通常演出状態で遊技状態が通常状態でかつ演出実行手段240によりリプレイＢ報知演出が実行されていない場合に、中停止スイッチ57又は右停止スイッチ58を最初に操作する順序でストップスイッチ34の操作が行われたときに、所定の不利益として、演出状態をＡＴ状態に切り替えることの決定を禁止するペナルティ期間を設定する。
【０１１８】
また、不利益付与手段250は、ペナルティ期間を設定してから所定の遊技回数（たとえば８回）が経過したときに、ペナルティ期間を解除する。
（スロットマシン10の動作）
以下、図１４〜図１８に示すフローチャートに基づいて、本実施の形態に係るスロットマシン10の動作の概略を説明する。まず、スロットマシン10の遊技制御装置21における処理であるメイン制御処理について説明する。
図１４に示すステップ１００において、遊技制御手段60により、スタートスイッチ33が操作されたか否かが判断される。ここで、操作されたと判断されると、ステップ１０１に進む。一方、操作されていないと判断されると、再度ステップ１００となる。
【０１１９】
ステップ１０１において、役抽選手段100により、役抽選が行われ、役抽選の結果が演出制御装置22に送信される。そして、次のステップ１０２に進む。
ステップ１０２において、遊技状態が通常状態でかつ実行抽選の抽選状態が通常抽選状態である場合に、特殊抽選状態移行フラグが成立しているか否かが判断される。ここで、成立していないと判断されると、ステップ１０３に進む。一方、成立していると判断されると、ステップ１０４に進む。なお、遊技状態が通常状態でない場合又は抽選状態が通常抽選状態でない場合には、ステップ１０４に進む。
ステップ１０３において、特殊抽選状態移行決定手段150により、役抽選の結果に基づいて特殊抽選状態移行抽選データテーブルが参照されて特殊抽選状態移行抽選が行われ、該抽選の結果が当選の場合には、特殊抽選状態移行フラグが成立される。そして、次のステップ１０４に進む。
【０１２０】
ステップ１０４において、遊技制御装置演出決定手段160により、遊技状態が通常状態である場合に、実行するフリーズ演出を決定するフリーズ演出決定処理が行われる。そして、次のステップ１０５に進む。なお、遊技状態が通常状態でない場合には、当該処理を行うことなくステップ１０５に進む。
ステップ１０５において、禁止区間設定手段155により、役抽選が行われたときに、禁止区間又は実行抽選禁止区間を設定又は解除する役抽選時禁止区間処理が行われる。そして、次のステップ１０６に進む。
ステップ１０６において、ウェイト制御手段115により、ウェイトに関するウェイト処理が行われる。具体的には、ウェイト時間を計時する計時手段により計時される計時時間が４．１秒以下である場合に、回転制御手段110による、３個すべての回転リール45の回転を開始させる処理が一旦保留される。そして、計時時間が４．１秒経過した後に、保留が解除され、保留した回転制御手段110による当該処理が開始可能となる。そして、次のステップ１０７に進む。
【０１２１】
ステップ１０７において、遊技制御装置演出実行手段170により、遊技制御装置演出決定手段160により決定されたフリーズ演出を実行するフリーズ演出実行処理が行われる。具体的には、実行するフリーズ演出の遅延時間が取得され、回転制御手段110による、３個すべての回転リール45の回転を開始させる処理が一旦保留される。そして、計時手段により計時される計時時間が取得した遅延時間に達すると、保留が解除され、保留した回転制御手段110による処理が開始可能となる。そして、次のステップ１０８に進む。
ステップ１０８において、回転制御手段110より、３個すべての回転リール45の回転が開始される。そして、次のステップ１０９に進む。
【０１２２】
ステップ１０９において、遊技制御手段60により、ストップスイッチ34が操作されたか否かが判断される。ここで、操作されたと判断されると、ステップ１１０に進む。一方、操作されていないと判断されると、再度ステップ１０９となる。
ステップ１１０において、停止制御手段120により、操作されたストップスイッチ34に対応する回転リール45の停止制御が行われる。そして、次のステップ１１１に進む。
ステップ１１１において、遊技制御手段60により、すべての回転リール45の回転が停止したか否かが判断される。ここで、すべての回転リール45の回転が停止したと判断されると、ステップ１１２に進む。一方、すべての回転リール45の回転が停止していないと判断されると、ステップ１０９に戻る。
【０１２３】
ステップ１１２において、停止図柄判定手段130により、有効入賞ライン上に停止表示された図柄の組み合わせを判定する停止表示図柄判定処理が行われ、判定の結果が演出制御装置22に送信される。そして、次のステップ１１３に進む。
ステップ１１３において、遊技制御手段60により、停止表示された図柄の組み合わせに応じた処理が行われる。たとえば、いずれかの小役を構成する図柄の組み合わせが有効入賞ライン上に停止表示された場合には、遊技制御手段60により、当該役に応じた枚数のメダルの払い出しが行われる。また、たとえば、いずれかの再遊技役を構成する図柄の組み合わせが有効入賞ライン上に停止表示された場合には、遊技制御手段60により、再遊技を実行するための処理、具体的には前回の遊技でベットした枚数と同数のメダルを自動的にベットする処理が行われる。また、たとえば、リプレイＢ役を構成する図柄の組み合わせが有効入賞ライン上に停止表示された場合に、遊技状態が通常状態で、実行抽選の抽選状態が通常抽選状態でかつ特殊抽選状態移行フラグが成立しているときには、抽選状態移行制御手段180により、成立している特殊抽選状態移行フラグが消去される。そして、次のステップ１１４に進む。
【０１２４】
ステップ１１４において、禁止区間設定手段155により、停止表示図柄判定処理が行われたときに、禁止区間又は実行抽選禁止区間を設定又は解除する図柄判定時禁止区間処理が行われる。そして、次のステップ１１５に進む。
ステップ１１５において、抽選状態移行制御手段180により、実行抽選の抽選状態の移行に関する抽選状態移行処理が行われる。具体的には、遊技状態が通常状態で、実行抽選の抽選状態が通常抽選状態で、かつ特殊抽選状態移行フラグが成立されてから２回目以降に実行されたシナリオ演出であって、シナリオ演出２〜シナリオ演出６のうちのいずれかが終了した場合に、特殊抽選状態移行フラグが成立しているときに、抽選状態が特殊抽選状態へ移行される。また、特殊抽選状態において、遊技制御装置演出決定手段160により２秒フリーズＡ、４秒フリーズＡ、６秒フリーズＡ、８秒フリーズ若しくは７０秒フリーズを実行することが決定されたとき、又は２秒フリーズＡ、４秒フリーズＡ、６秒フリーズＡ、８秒フリーズ若しくは７０秒フリーズを実行することが決定されることなく所定の遊技回数（本実施の形態では３２回）が経過したときには、抽選状態が通常状態へ移行される。そして、次のステップ１１６に進む。
【０１２５】
ステップ１１６において、遊技状態移行制御手段135により、遊技状態の移行に関する遊技状態移行処理が行われる。たとえば、いずれかのボーナス役を構成する図柄の組み合わせが有効入賞ライン上に停止表示された場合には、当該役に応じたボーナス状態へ遊技状態が移行される。また、たとえば、通常状態においてリプレイＢ役を構成する図柄の組み合わせが有効入賞ライン上に停止表示された場合には、遊技状態がＲＴ状態へ移行され、また、たとえば、ＲＴ状態においてリプレイＣ役を構成する図柄の組み合わせが有効入賞ライン上に停止表示された場合には、遊技状態が通常状態へ移行される。そして、当該メイン制御処理が終了する。
【０１２６】
次に、上述したステップ１０４におけるフリーズ演出決定処理について説明する。
図１５に示すステップ２００において、実行抽選の抽選状態が通常抽選状態であるか否かが判断される。ここで、通常抽選状態であると判断されると、ステップ２０１に進む。一方、通常抽選状態でないと判断されると、ステップ２１２に進む。
ステップ２０１において、禁止フラグが成立しているか否か、すなわち禁止区間中であるか否かが判断される。ここで、成立していない、すなわち禁止区間中でないと判断されると、ステップ２０２に進む。一方、成立している、すなわち禁止区間中であると判断されると、当該フリーズ演出決定処理が終了する。
【０１２７】
ステップ２０２において、実行抽選禁止フラグが成立しているか否か、すなわち実行抽選禁止区間中であるか否かが判断される。ここで、成立していない、すなわち実行抽選禁止区間中でない（言い換えればシナリオ演出中でない）と判断されると、ステップ２０３に進む。一方、成立している、すなわち実行抽選禁止区間中である（言い換えればシナリオ演出中である）と判断されると、ステップ２１１に進む。
ステップ２０３において、役抽選によりベル役に単独当選したか否かが判断される。ここで、単独当選したと判断されると、ステップ２０４に進む。一方、単独当選していないと判断されると、ステップ２０５に進む。
【０１２８】
ステップ２０４において、遊技制御装置演出決定手段160により、ベル実行抽選データテーブルが参照されて、特殊抽選状態移行フラグが成立しているか否かに応じた実行抽選の抽選確率が取得される。そして、ステップ２０８に進む。
ステップ２０５において、役抽選によりチェリー役に単独当選したか否かが判断される。ここで、単独当選したと判断されると、ステップ２０６に進む。一方、単独当選していないと判断されると、ステップ２０７に進む。
ステップ２０６において、遊技制御装置演出決定手段160により、チェリー実行抽選データテーブルが参照されて、特殊抽選状態移行フラグが成立しているか否かに応じた実行抽選の抽選確率が取得される。そして、ステップ２０８に進む。
【０１２９】
ステップ２０７において、遊技制御装置演出決定手段160により、一般実行抽選データテーブルが参照されて、特殊抽選状態移行フラグが成立しているか否かに応じた実行抽選の抽選確率が取得される。そして、ステップ２０８に進む。
ステップ２０８において、遊技制御装置演出決定手段160により、実行抽選が行われる。そして、次のステップ２０９に進む。
ステップ２０９において、遊技制御装置演出決定手段160により、実行抽選の結果に基づいて、いずれかのシナリオテーブルが選択される。そして、次のステップ２１０に進む。
【０１３０】
ステップ２１０において、遊技制御装置演出決定手段160により、所定のシナリオテーブルを選択した旨が演出制御装置22に送信される。なお、特殊抽選状態移行フラグが成立されてから２回目以降に選択するシナリオテーブルであって、シナリオテーブル２〜シナリオテーブル６のうちのいずれかのシナリオテーブルが選択されたときには、所定のシナリオテーブルを選択した旨に併せて特殊抽選状態移行フラグが成立している旨が演出制御装置22に送信される。具体的には、特殊抽選状態移行フラグが成立しており、特殊抽選状態移行決定手段150による特殊抽選状態移行抽選が行われなかった場合（ステップ１０２でＹ）に、シナリオテーブル２〜シナリオテーブル６のうちのいずれかのシナリオテーブルが選択されたときには、所定のシナリオテーブルを選択した旨に併せて特殊抽選状態移行フラグが成立している旨が演出制御装置22に送信される。そして、次のステップ２１１に進む。
【０１３１】
ステップ２１１において、遊技制御装置演出決定手段160により、選択したシナリオテーブルを参照して、いずれかのフリーズ演出を実行するか否かが決定される。そして、当該フリーズ演出決定処理が終了する。
ステップ２１２において、役抽選によりボーナス役に当選したか否かが判断される。ここで、当選したと判断されると、ステップ２１３に進む。一方、当選していないと判断されると、ステップ２１４に進む。
ステップ２１３において、遊技制御装置演出決定手段160により、ボーナス特殊実行抽選データテーブルが参照されて実行抽選の抽選確率が取得される。そして、ステップ２１５に進む。
【０１３２】
ステップ２１４において、遊技制御装置演出決定手段160により、一般特殊実行抽選データテーブルが参照されて実行抽選の抽選確率が取得される。そして、ステップ２１５に進む。
ステップ２１５において、遊技制御装置演出決定手段160により、実行抽選が行われる。そして、次のステップ２１６に進む。
ステップ２１６において、遊技制御装置演出決定手段160により、実行抽選の結果に基づいて、いずれかのフリーズ演出を実行するか否かが決定される。そして、当該フリーズ演出決定処理が終了する。
【０１３３】
次に、上述したステップ１０５における役抽選時禁止区間処理について説明する。
図１６に示すステップ３００において、リプレイＡＢ役又はリプレイＡＢＣ役に当選したか否かが判断される。ここで、いずれかの役に当選したと判断されると、ステップ３０１に進む。一方、いずれの役にも当選していないと判断されると、ステップ３０４に進む。
ステップ３０１において、遊技状態が通常状態であるか否かが判断される。ここで、通常状態であると判断されると、ステップ３０２に進む。一方、通常状態でないと判断されると、ステップ３０４に進む。
【０１３４】
ステップ３０２において、禁止フラグが成立しているか否か、すなわち禁止区間中であるか否かが判断される。ここで、成立している、すなわち禁止区間中であると判断されると、ステップ３０３に進む。一方、成立していない、すなわち禁止区間中でないと判断されると、ステップ３０４に進む。
ステップ３０３において、禁止区間設定手段155により、禁止フラグが消去され、禁止区間が解除される。そして、次のステップ３０４に進む。
ステップ３０４において、いずれかのシナリオ演出を実行することが決定されたか否かが判断される。ここで、決定されたと判断されると、ステップ３０５に進む。一方、決定されていないと判断されると、当該役抽選時禁止区間処理が終了する。
【０１３５】
ステップ３０５において、禁止区間設定手段155により、実行抽選禁止フラグが成立され、実行抽選禁止区間が設定される。そして、当該役抽選時禁止区間処理が終了する。
次に、上述したステップ１１４における図柄判定時禁止区間処理について説明する。
図１７に示すステップ４００において、リプレイＢ役を構成する図柄の組み合わせが有効入賞ライン上に停止表示されたか否か家が判断される。ここで、停止表示されたと判断されると、ステップ４０１に進む。一方、停止表示されていないと判断されると、ステップ４０４に進む。
ステップ４０１において、遊技状態が通常状態であるか否かが判断される。ここで、通常状態であると判断されると、ステップ４０２に進む。一方、通常状態でないと判断されると、ステップ４０４に進む。
【０１３６】
ステップ４０２において、実行抽選の抽選状態が通常抽選状態であるか否かが判断される。ここで、通常抽選状態であると判断されると、ステップ４０３に進む。一方、通常抽選状態でないと判断されると、ステップ４０４に進む。
ステップ４０３において、禁止区間設定手段155により、禁止フラグが成立され、禁止区間が設定される。なお、このとき、実行抽選禁止フラグが成立していたときには、当該実行抽選禁止フラグは消去される。そして、当該図柄判定時抽選時禁止区間処理が終了する。
ステップ４０４において、シナリオ演出１〜シナリオ演出６のうちのいずれかが終了したか否かが判断される。ここで、終了したと判断されると、ステップ４０５に進む。一方、終了していない、すなわちシナリオ演出中である又はそもそもシナリオ演出中でないと判断されると、ステップ４０６に進む。
【０１３７】
ステップ４０５において、禁止区間設定手段155により、実行抽選禁止フラグが成立され、実行抽選禁止区間が設定される。そして、当該図柄判定時抽選時禁止区間処理が終了する。
ステップ４０６において、シナリオ演出７又はシナリオ演出８が終了したか否かが判断される。ここで、終了したと判断されると、ステップ４０７に進む。一方、終了していない、すなわちシナリオ演出中である又はそもそもシナリオ演出中でないと判断されると、ステップ４０８に進む。
ステップ４０７において、禁止区間設定手段155により、禁止フラグが成立され、禁止区間が設定される。そして、当該図柄判定時抽選時禁止区間処理が終了する。
【０１３８】
ステップ４０８において、２秒フリーズＡ、４秒フリーズＡ、６秒フリーズＡ、８秒フリーズ又は７０秒フリーズを、当該遊技で実行したか否かが判断される。ここで、いずれかのフリーズ演出を実行したと判断されると、ステップ４０９に進む。一方、いずれのフリーズ演出も実行していないと判断されると、ステップ４１０に進む。
ステップ４０９において、禁止区間設定手段155により、実行抽選禁止フラグが成立され、実行抽選禁止区間が設定される。そして、当該図柄判定時抽選時禁止区間処理が終了する。
ステップ４１０において、２秒フリーズＡ、４秒フリーズＡ、６秒フリーズＡ、８秒フリーズ又は７０秒フリーズを実行してから６回の遊技回数が経過したか否かが判断される。ここで、経過したと判断されると、ステップ４１１に進む。一方、経過していないと判断されると、４１２に進む。
【０１３９】
ステップ４１１において、禁止区間設定手段155により、実行抽選禁止フラグが成立され、実行抽選禁止区間が設定される。そして、当該図柄判定時抽選時禁止区間処理が終了する。
ステップ４１２において、実行抽選の抽選状態が特殊抽選状態に移行してから３２回の遊技回数が経過したか否かが判断される。ここで、経過したと判断されると、ステップ４１３に進む。一方、経過していないと判断されると、ステップ４１４に進む。
ステップ４１３において、禁止区間設定手段155により、禁止フラグが成立され、禁止区間が設定される。そして、当該図柄判定時抽選時禁止区間処理が終了する。
【０１４０】
ステップ４１４において、ボーナス遊技が終了したか否かが判断される。ここで、終了したと判断されると、ステップ４１５に進む。一方、終了していないと判断されると、当該図柄判定時抽選時禁止区間処理が終了する。
ステップ４１５において、禁止区間設定手段155により、禁止フラグが成立され、禁止区間が設定される。そして、当該図柄判定時抽選時禁止区間処理が終了する。
次に、スロットマシン10の演出制御装置22における処理であるサブ制御処理について説明する。
図１８に示すステップ５００において、ペナルティ期間中であるか否かが判断される。ここで、ペナルティ期間中でないと判断されると、ステップ５０１に進む。一方、ペナルティ期間中であると判断されると、当該サブ制御処理が終了する。
【０１４１】
ステップ５０１において、遊技制御装置演出実行手段170により実行される演出がシナリオ演出８であるか否かが判断される。ここで、シナリオ演出８でないと判断されると、ステップ５０２に進む。一方、シナリオ演出８であると判断されると、ステップ５１２に進む。
ステップ５０２において、遊技制御装置演出実行手段170により実行されるフリーズ演出が２秒フリーズＡ、４秒フリーズＡ、６秒フリーズＡ又は８秒フリーズであるか否かが判断される。ここで、いずれかのフリーズ演出であると判断されると、ステップ５０３に進む。一方、いずれのフリーズ演出でもないと判断されると、ステップ５０６に進む。
【０１４２】
ステップ５０３において、モードが高確率モードであるか否かが判断される。ここで、高確率モードであると判断されると、ステップ５０４に進む。一方、高確率モードでない、すなわち低確率モードであると判断されると、ステップ５０５に進む。
ステップ５０４において、ＡＴ状態切替決定手段210により、高確率ＡＴ抽選データテーブルが参照されて、実行されるフリーズ演出に基づいてＡＴ抽選の抽選確率が取得される。そして、ステップ５１０に進む。
ステップ５０５において、ＡＴ状態切替決定手段210により、低確率ＡＴ抽選データテーブルが参照されて、実行されるフリーズ演出に基づいてＡＴ抽選の抽選確率が取得される。そして、ステップ５１０に進む。
【０１４３】
ステップ５０６において、遊技制御装置演出実行手段170により実行されるフリーズ演出が７０秒フリーズであるか否かが判断される。ここで、７０秒フリーズであると判断されると、ステップ５０７に進む。一方、７０秒フリーズでないと判断されると、ステップ５０８に進む。
ステップ５０７において、ＡＴ状態切替決定手段210により、確定ＡＴ抽選データテーブルが参照されてＡＴ抽選の抽選確率が取得される。そして、ステップ５１０に進む。
ステップ５０８において、遊技制御装置演出実行手段170により実行される演出がシナリオ演出７であるか否かが判断される。ここで、シナリオ演出７であると判断されると、ステップ５０９に進む。一方、シナリオ演出７でないと判断されると、当該サブ制御処理が終了する。
【０１４４】
ステップ５０９において、ＡＴ状態切替決定手段210により、特定ＡＴ抽選データテーブルが参照されてＡＴ抽選の抽選確率が取得される。そして、ステップ５１０に進む。
ステップ５１０において、ＡＴ状態切替決定手段210により、ＡＴ抽選が行われる。そして、次のステップ５１１に進む。
ステップ５１１において、ＡＴ抽選の結果が当選であるか否かが判断される。ここで、当選であると判断されると、ステップ５１２に進む。一方、ハズレであると判断されると、当該サブ制御処理が終了する。
ステップ５１２において、ＡＴ状態切替決定手段210により、演出状態をＡＴ状態に切り替えることが決定される。そして、当該サブ制御処理が終了する。
【０１４５】
（作用・効果）
以上説明したように、本実施の形態では、通常状態において、特殊抽選状態移行フラグが成立していない場合に、特殊抽選状態移行抽選を行い、特殊抽選状態移行抽選の結果に基づいて、実行抽選の抽選状態を特殊抽選状態へ移行させることを決定する。抽選状態を特殊抽選状態へ移行させることを決定すると、特殊抽選状態移行フラグを成立させる。
また、本実施の形態では、通常状態において役抽選によりベル役又はチェリー役に単独当選した場合に、実行抽選の抽選状態が通常抽選状態でありかつ許可区間中であるときに、実行抽選によりシナリオテーブルを選択し、シナリオ演出を実行する。このとき実行するシナリオ演出は、ボーナス役の当選を遊技者に期待させるものとなっている。
【０１４６】
また、本実施の形態では、特殊抽選状態移行フラグが成立するのは、役抽選によりベル役又はチェリー役に当選したときとなっている。そして、ベル役又はチェリー役に当選した場合のうちベル役又はチェリー役に単独当選して特殊抽選状態移行フラグが成立した場合においては、上述したボーナス役の当選を遊技者に期待させるシナリオ演出が終了した後に、シナリオ演出２〜シナリオ演出６のうちのいずれかが終了する（特殊抽選状態移行フラグが成立してから２回目以降のシナリオ演出２〜シナリオ演出６のうちのいずれかが終了する）と、実行抽選の抽選状態が特殊抽選状態へ移行する。なお、本実施の形態では、遊技状態が通常状態で実行抽選の抽選状態が通常抽選状態である場合に、特殊抽選状態移行フラグが成立してから２回目以降のシナリオ演出２〜シナリオ演出６のうちのいずれかが終了するまでの間に、リプレイＢ役を構成する図柄の組み合わせが有効入賞ライン上に停止表示されて禁止区間に属することとなるときには、成立している特殊抽選状態移行フラグを消去する。
【０１４７】
これにより、本実施の形態によれば、通常状態においてリプレイＢ役を構成する図柄の組み合わせが有効入賞ライン上に停止表示されたことに伴い、特殊抽選状態移行フラグを消去して実行抽選の抽選状態を特殊抽選状態へ移行させないようにしたので、設計者の意図しないタイミング（たとえば遊技状態がＲＴ状態であるとき）で、特殊抽選状態で実行抽選が行われることを防止することができ、ひいてはフリーズ演出が設計者の意図しないタイミング（たとえば遊技状態がＲＴ状態であるとき）で実行されることを十分に防止することができる。
また、本実施の形態では、ボーナス遊技が終了すると、禁止区間となり、この禁止区間中にリプレイＡＢ役又はリプレイＡＢＣ役に当選すると、許可区間となり、この許可区間中にいずれかのシナリオ演出を実行することが決定されると、実行抽選禁止区間となり、シナリオ演出が終了すると、原則として、許可区間となる。具体的には、シナリオ演出１〜シナリオ演出６のうちのいずれかが終了した場合には、許可区間となるものの、シナリオ演出７又はシナリオ演出８が終了した場合には、禁止区間となる。
【０１４８】
また、特殊抽選状態移行フラグが成立してから２回目以降のシナリオ演出２〜シナリオ演出６のうちのいずれかが終了したときには、実行抽選の抽選状態が特殊抽選状態となり、この特殊抽選状態において、２秒フリーズＡ、４秒フリーズＡ、６秒フリーズＡ、８秒フリーズ又は７０秒フリーズが実行されると、実行抽選禁止区間となり、この実行抽選禁止区間中に所定の遊技回数（本実施の形態では６回）が経過すると、禁止区間となる。また、この特殊抽選状態において、２秒フリーズＡ、４秒フリーズＡ、６秒フリーズＡ、８秒フリーズ又は７０秒フリーズが実行されることなく所定の遊技回数（本実施の形態では３２回）が経過すると、禁止区間となる。
【０１４９】
そして、本実施の形態では、シナリオ演出７、２秒フリーズＡ、４秒フリーズＡ、６秒フリーズＡ、８秒フリーズ又は７０秒フリーズを実行することが決定されると、ＡＴ抽選が行われ、ＡＴ抽選で当選となると、演出状態をＡＴ状態に切り替えることが決定され、その後、演出状態がＡＴ状態となり、ＡＲＡ遊技が開始される。また同様に、シナリオ演出８を実行することが決定されると、演出状態をＡＴ状態に切り替えることが決定され、その後演出状態がＡＴ状態となり、その後ＡＲＴ遊技が開始される。
ここで、ＡＲＴ遊技と禁止区間との関係について説明する。
（ＡＲＴ遊技と禁止区間との関係）
（１）シナリオ演出７又はシナリオ演出８の実行によりＡＲＴ遊技が開始される場合
通常抽選状態において、シナリオ演出７又はシナリオ演出８が実行される場合に、演出状態をＡＴ状態へ切り替えることが決定されたときには、当該シナリオ演出７又はシナリオ演出８が終了すると、演出状態がＡＴ状態に設定されるとともに、図１２に示すように、禁止区間となる。このとき、遊技状態は、原則として、通常状態である。なお、シナリオ演出７又はシナリオ演出８中に、リプレイＢ役を構成する図柄の組み合わせが有効入賞ライン上に停止表示されると、遊技状態がＲＴ状態へ移行するとともに、当該シナリオ演出７又はシナリオ演出８が終了して、その後演出状態がＡＴ状態となる。
【０１５０】
そして、この、演出状態がＡＴ状態で遊技状態が通常状態でかつ禁止区間中である遊技において、役抽選によりリプレイＡＢ役又はリプレイＡＢＣ役に当選すると、リプレイＢ報知演出が実行され、この報知に従ってストップスイッチ34を操作すると、リプレイＢ役を構成する図柄の組み合わせが有効入賞ライン上に停止表示され、遊技状態がＲＴ状態へ移行する。そして、ＡＲＴ遊技が開始される。
（２）２秒フリーズＡ、４秒フリーズＡ、６秒フリーズＡ又は８秒フリーズの実行によりＡＲＴ遊技が開始される場合
特抽選状態において、２秒フリーズＡ、４秒フリーズＡ、６秒フリーズＡ又は８秒フリーズが実行される場合に、演出状態をＡＴ状態へ切り替えることが決定されたときには、当該フリーズ演出の実行により、図１２に示すように、実行抽選禁止区間となる。そして、この実行抽選禁止区間の間（本実施の形態では６回）にわたって、演出状態をＡＴ状態に切り替えることが決定された旨を遊技者に報知する報知演出が実行され、この報知演出が終了すると、演出状態がＡＴ状態に設定されるとともに、図１２に示すように、禁止区間となる。このとき、遊技状態は、原則として、通常状態である。なお、報知演出中（すなわち実行抽選禁止区間中）に、リプレイＢ役を構成する図柄の組み合わせが有効入賞ライン上に停止表示されても、当該報知演出は終了しないとともに、禁止区間とはならない。
【０１５１】
そして、この、演出状態がＡＴ状態で遊技状態が通常状態でかつ禁止区間中である遊技において、役抽選によりリプレイＡＢ役又はリプレイＡＢＣ役に当選すると、リプレイＢ報知演出が実行され、この報知に従ってストップスイッチ34を操作すると、リプレイＢ役を構成する図柄の組み合わせが有効入賞ライン上に停止表示され、遊技状態がＲＴ状態へ移行する。そして、ＡＲＴ遊技が開始される。
（３）７０秒フリーズの実行によりＡＲＴ遊技が開始される場合
特抽選状態において、７０秒フリーズが実行される場合に、演出状態をＡＴ状態へ切り替えることが決定されたときには、当該７０秒フリーズの実行により、図１２に示すように、実行抽選禁止区間となる。そして、７０秒フリーズが実行されるのは、役抽選によりボーナス役に当選した場合であるので、当選したボーナス役に対応するボーナス遊技が終了した後に、演出状態がＡＴ状態に設定されるとともに、図１２に示すように、禁止区間となる。
【０１５２】
そして、この、演出状態がＡＴ状態で遊技状態が通常状態でかつ禁止区間中である遊技において、役抽選によりリプレイＡＢ役又はリプレイＡＢＣ役に当選すると、リプレイＢ報知演出が実行され、この報知に従ってストップスイッチ34を操作すると、リプレイＢ役を構成する図柄の組み合わせが有効入賞ライン上に停止表示され、遊技状態がＲＴ状態へ移行する。そして、ＡＲＴ遊技が開始される。
（４）ＡＲＴ遊技において、遊技状態が通常状態へ移行した場合
演出状態がＡＴ状態でかつ遊技状態がＲＴ状態である遊技（ＡＲＴ遊技）においては、上述の如く、禁止区間となっている。そして、ＡＲＴ遊技において、役抽選によりリプレイＡＣ役、リプレイＢＣ役又はリプレイＡＣＤ役に当選した場合に、遊技者が、リプレイＣ回避報知演出に従わずにストップスイッチ34の操作を行った結果、リプレイＣ役を構成する図柄の組み合わせが有効入賞ライン上に停止表示され遊技状態が通常状態へ移行したとする。そして、この通常状態において、役抽選によりリプレイＡＢ役又はリプレイＡＢＣ役に当選すると、図１２に示すように、許可区間となるが、リプレイＢ報知演出に従ってストップスイッチ34の操作を行うと、リプレイＢ役を構成する図柄の組み合わせが有効入賞ライン上に停止表示され遊技状態がＲＴ状態へ移行するとともに、図１２に示すように、再び禁止区間となる。一方、リプレイＢ報知演出に従わずにストップスイッチ34の操作を行った結果、リプレイＢ役を構成する図柄の組み合わせが有効入賞ライン上に停止表示されないと、ＡＲＴ遊技が終了する。
【０１５３】
以上より、本実施の形態によれば、演出状態をＡＴ状態へ切り替えることを決定した以降、演出状態がＡＴ状態となり、ＡＲＴ遊技が開始されるまでの一連の流れのなかで、設計者の意図しないタイミングで実行抽選が行われることを防止することができ、ひいては設計者の意図しないタイミングでシナリオ演出又はフリーズ演出が実行されることを防止することができる。また、本実施の形態によれば、ＡＴ遊技又はＡＲＴ遊技において、実行抽選及びシナリオ演出又はフリーズ演出が行われないようにすることができる。
（他の実施の形態）
上述した実施の形態では、フリーズ演出中に、回転リール45を用いた演出である回転リール演出を実行することもできる。すなわち、遊技制御装置演出には、フリーズ演出中に実行する回転リール演出を含めることもできる。
【０１５４】
また、上述した実施の形態では、通常状態においてリプレイＢ役を構成する図柄の組み合わせが有効入賞ライン上に停止表示されると、遊技状態が通常状態からＲＴ状態へ移行するものであるが、これに限られるものではない。たとえば、通常状態からＲＴ状態への移行条件（特定の移行条件）としては、役を構成しない特定の図柄の組み合わせ（以下、「ブランク図柄」と称する。）であってもよい。すなわち、通常状態においてブランク図柄が有効入賞ライン上に停止表示された場合に、遊技状態をＲＴ状態へ移行させるようにしてもよい。この場合では、停止制御手段120は、役抽選の結果がハズレ（特定の結果）又は所定の役の当選（特定の結果）であるときに、ストップスイッチ34の操作のタイミング（特定の操作態様）に応じて、ブランク図柄を有効入賞ライン上に停止表示させることができる。また、停止制御手段120は、役抽選の結果がハズレ（特定の結果）又は所定の役の当選（特定の結果）である場合に、中停止スイッチ57又は右停止スイッチ58を最初に操作する順序（特定の操作順序）でストップスイッチ34の操作が行われたときには、ブランク図柄を有効入賞ライン上に停止表示させ、左停止スイッチ56を最初に操作する順序でストップスイッチ34の操作が行われたときには、ブランク図柄を有効入賞ライン上に停止表示させないようにすることができる。すなわち、停止制御手段120は、ストップスイッチ34の操作のタイミングに応じて、ブランク図柄を有効入賞ライン上に停止表示させたり、ストップスイッチ34の操作順序に応じて、ブランク図柄を有効入賞ライン上に停止表示させることができる。さらに、停止制御手段120は、これらを組み合わせて、ストップスイッチ34の操作順序と操作のタイミングとに応じて、ブランク図柄を有効入賞ライン上に停止表示させることができる。たとえば、停止制御手段120は、役抽選の結果がハズレ（特定の結果）又は所定の役の当選（特定の結果）である場合に、中停止スイッチ57又は右停止スイッチ58を最初に操作する順序（特定の操作順序）でストップスイッチ34の操作が行われ、かつストップスイッチ34の操作のタイミングがブランク図柄を停止表示させることができるものであったときには、ブランク図柄を有効入賞ライン上に停止表示させ、中停止スイッチ57又は右停止スイッチ58を最初に操作する順序（特定の操作順序）でストップスイッチ34の操作が行われたものの、ストップスイッチ34の操作のタイミングがブランク図柄を停止表示させることができるものはなかったときには、ブランク図柄を有効入賞ライン上に停止表示させないようにし、さらに、左停止スイッチ56を最初に操作する順序でストップスイッチ34の操作が行われたときには、ブランク図柄を有効入賞ライン上に停止表示させないようにすることができる。
【０１５５】
また、上述した実施の形態では、ＲＴ状態においてリプレイＣ役を構成する図柄の組み合わせが有効入賞ライン上に停止表示されると、遊技状態がＲＴ状態から通常状態へ移行するものであるが、これに限られるものではなく、上記と同様に、たとえば、ＲＴ状態から通常状態への移行条件としては、ブランク図柄とすることができる。
また、上述した実施の形態では、ＡＲＴ遊技は、ＲＴ状態においてリプレイＣ役を構成する図柄の組み合わせが有効入賞ライン上に停止表示され遊技状態が通常状態へ移行し、この通常状態において役抽選によりリプレイＡＢ役及びリプレイＡＢＣ役に当選した場合に、リプレイＢ役を構成する図柄の組み合わせが有効入賞ライン上に停止表示されなかったとき、すなわち少なくとも２回の報知に従わずにストップスイッチ34の操作を行ったときに、ＡＲＴ遊技のセット数が残っていて終了するものであるが、これに限られるものではない。たとえば、ＲＴ状態においてリプレイＣ役を構成する図柄の組み合わせが有効入賞ライン上に停止表示され遊技状態が通常状態へ移行し、この通常状態において役抽選によりリプレイＡＢ役及びリプレイＡＢＣ役に当選した場合（許可区間となった場合）に、リプレイＢ役を構成する図柄の組み合わせが有効入賞ライン上に停止表示されなかったとき（禁止区間とならなかったとき）に、ＡＲＴ遊技を中断するようにしてもよいし、ＡＲＴ遊技のセット数をたとえば１個減算する、すなわちＡＲＴ遊技セット数カウンタのカウント値からたとえば「１」を減算するようにしてもよい。このようにする場合に、ＡＲＴ遊技を再開するときには、通常状態においてリプレイＡＢ役及びリプレイＡＢＣ役に当選した際にリプレイＢ報知演出を実行し、リプレイＢ役を構成する図柄の組み合わせが有効入賞ライン上に停止表示されたことを契機に、演出状態を再びＡＴ状態に切り替えて中断したＡＲＴを再開することができる。このようにすると、許可区間となったことに伴い、ＡＲＴ遊技が中断し、禁止区間となることに伴い、ＡＲＴ遊技が再開するので、ＡＲＴ遊技において、実行抽選及びシナリオ演出又はフリーズ演出が行われないようにすることができる。
【０１５６】
また、上述した実施の形態では、禁止区間設定手段155は、遊技状態が通常状態で実行抽選の抽選状態が特殊抽選状態である場合に、リプレイＢ役を構成する図柄の組み合わせが有効入賞ライン上に停止表示されたことを契機に、遊技制御装置21のＲＡＭにおける所定の記憶領域に禁止フラグを成立させ、禁止区間を設定するようにしてもよい。すなわち、実行抽選の抽選状態に関わらず、遊技状態が通常状態からＲＴ状態へ移行すると、禁止区間となるようにしてもよい。
また、上述した実施の形態では、抽選状態移行制御手段180は、特殊抽選状態移行フラグが成立している状態で、特殊抽選状態移行フラグが成立してから２回目以降に実行されたシナリオ演出であって、シナリオ演出２〜シナリオ演出６のうちのいずれかが終了するまでの間に、リプレイＢ役を構成する図柄の組み合わせが有効入賞ライン上に停止表示された場合には、無効フラグを成立させ、無効フラグが成立しているときには、特殊抽選状態移行フラグが成立してても抽選状態を特殊抽選状態へ移行させないようにすることができる。そして、これにより、実行抽選の抽選状態を特殊抽選状態へ移行させることの決定を無効にして、特殊抽選状態へ移行させないようにすることができる。なお、この場合には、特殊抽選状態移行フラグが成立されてから２回目以降に実行されたシナリオ演出であって、シナリオ演出２〜シナリオ演出６のうちのいずれかが終了したときに、抽選状態移行フラグ及び無効フラグを消去するようにすることができる。
【０１５７】
また、上述した実施の形態では、シナリオ演出７、シナリオ演出８、２秒フリーズＡ、４秒フリーズＡ、６秒フリーズＡ、８秒フリーズ又は７０秒フリーズの実行を契機に、ＡＴ遊技、ひいてはＡＲＴ遊技を実行するものであるが、これに限られるものではなく、これらを契機として、少なくともいずれかの回転リール45のスベリコマ数を０コマ又は１コマにすることにより、いわゆる目押しを可能としたＣＴ（チャレンジタイム）遊技を実行するようにしてもよい。
本発明は、上述した実施の形態に限定されるものではなく、本発明の目的を達成できる範囲における変形および改良なども含むものである。また、本発明は、上述した実施の形態を適宜組み合わせる、または組み替えることもできる。
【符号の説明】
【０１５８】
10  スロットマシン（遊技機）           21  遊技制御装置
22  演出制御装置                       33  スタートスイッチ
34  ストップスイッチ                   45  回転リール
100  役抽選手段                        110  回転制御手段
120  停止制御手段                      135  遊技状態移行制御手段
150  特殊抽選状態移行決定手段          160  遊技制御装置演出決定手段
170  遊技制御装置演出実行手段          180  抽選状態移行制御手段
220  演出状態切替制御手段              240  演出実行手段
250  不利益付与手段
【図１】
0005742017.tif 000002
【図２】
0005742017.tif 000003
【図３】
0005742017.tif 000004
【図４】
0005742017.tif 000005
【図５】
0005742017.tif 000006
【図６】
0005742017.tif 000007
【図７】
0005742017.tif 000008
【図８】
0005742017.tif 000009
【図９】
0005742017.tif 000010
【図１０】
0005742017.tif 000011
【図１１】
0005742017.tif 000012
【図１２】
0005742017.tif 000013
【図１３】
0005742017.tif 000014
【図１４】
0005742017.tif 000015
【図１５】
0005742017.tif 000016
【図１６】
0005742017.tif 000017
【図１７】
0005742017.tif 000018
【図１８】
0005742017.tif 000019